(57)【要約】      （修正有）【課題】複数のシート状の基材を連続的に加工する機械構造物を提供する。【解決手段】加工ステーション（０１；０２；０６；０７；０８；０９；１２）は、基材にその都度印刷を行うノンインパクト印刷装置（０６）を有する。ノンインパクト印刷装置（０６）は、印刷胴（２２）の周に配置されており、印刷胴（２２）は、３倍胴または４倍胴の大きさに構成されている。印刷胴（２２）の直前に、２倍胴または３倍胴の大きさに構成された渡しドラム（４３）または相応の供給胴（４３）が配置されており、かつ／または印刷胴（２２）の直後に、２倍胴または３倍胴の大きさに構成された渡しドラムまたは相応の搬送胴が配置されている。【選択図】図１１
2020037268.tif 000002
【特許請求の範囲】
【請求項１】
シート状の基材を連続的に加工する機械構造物であって、
複数の様々な加工ステーション（０１；０２；０３；０４；０６；０７；０８；０９；１１；１２）を備え、
複数の加工ステーション（０１；０２；０３；０４；０６；０７；０８；０９；１１；１２）は、それぞれ基材ガイドユニット（２４）と基材加工ユニット（２６）とを有し、前記加工ステーション（０１；０２；０３；０４；０６；０７；０８；０９；１１；１２）のうちの少なくとも１つの加工ステーションは、基材加工ユニット（２６）として、それぞれ基材にその都度印刷を行う少なくとも１つのノンインパクト印刷装置（０６；３７）を有し、少なくとも１つの前記ノンインパクト印刷装置（０６；３７）を有する該当する前記加工ステーションは、印刷胴（２２；３８）を有し、各々の前記ノンインパクト印刷装置（０６；３７）は、それぞれ前記印刷胴（２２；３８）の周に配置されており、それぞれ、各々の前記印刷胴（２２；３８）は、３倍胴または４倍胴の大きさに構成されており、各々の前記印刷胴（２２；３８）の直前に、それぞれ、２倍胴または３倍胴の大きさに構成された渡しドラム（４３）または相応の供給胴（４３）が配置されている、かつ／または各々の前記印刷胴（２２；３８）の直後に、２倍胴または３倍胴の大きさに構成された渡しドラム（４４）または相応の搬送胴（４４）が配置されている、機械構造物。
【請求項２】
それぞれ、各々の前記印刷胴（２２；３８）の直前に配置された前記渡しドラム（４３）または直前に配置された前記供給胴（４３）は、それぞれ、各々の基材が案内される隙間（３２）を形成して、該当する前記印刷胴（２２；３８）の外周面に当接されているまたは少なくとも当接可能であることを特徴とする、請求項１記載の機械構造物。
【請求項３】
該当する前記印刷胴（２２；３８）と直前に配置された前記渡しドラム（４３）または直前に配置された前記供給胴（４３）との間に形成された前記隙間（３２）の幅は、その都度、各々の基材、特に基材の厚さまたは坪量に依存して調整されることを特徴とする、請求項２記載の機械構造物。
【請求項４】
該当する前記印刷胴（２２；３８）と直前に配置された前記渡しドラム（４３）または直前に配置された前記供給胴（４３）との間に形成された前記隙間（３２）の幅は、０ｍｍ〜３ｍｍの範囲に調整されるまたは少なくとも調整可能であることを特徴とする、請求項３記載の機械構造物。
【請求項５】
それぞれ、各々の前記印刷胴（２２；３８）の直前に配置された前記渡しドラム（４３）または直前に配置された前記供給胴（４３）は、それぞれ前記渡しドラム（４３）または前記供給胴（４３）の周に、それぞれ１つの弾性的な上張りを有し、該上張りでもって、前記渡しドラム（４３）または前記供給胴（４３）は、該当する前記印刷胴（２２；３８）の外周面に当接されているまたは少なくとも当接可能であることを特徴とする、請求項１記載の機械構造物。
【請求項６】
それぞれ、各々の前記印刷胴（２２；３８）の直前に配置された前記渡しドラム（４３）または直前に配置された前記供給胴（４３）は、それぞれ該当する前記印刷胴（２２；３８）の外周面に転動して当接されているまたは少なくとも当接可能であることを特徴とする、請求項５記載の機械構造物。
【請求項７】
それぞれ、各々の前記印刷胴（２２；３８）の直前に配置された前記渡しドラム（４３）または直前に配置された前記供給胴（４３）は、それぞれ該当する前記印刷胴（２２；３８）の外周面に押し付けて当接されているまたは少なくとも当接可能であることを特徴とする、請求項５または６記載の機械構造物。
【請求項８】
それぞれ、各々の前記印刷胴（２２；３８）の直前に配置された前記渡しドラム（４３）または直前に配置された前記供給胴（４３）は、それぞれ周方向に位置調整可能な複数の胴面（２９）を有することを特徴とする、請求項１または２または３または４または５または６または７記載の機械構造物。
【請求項９】
それぞれ、各々の前記印刷胴（２２；３８）の直前に配置された前記渡しドラム（４３）または直前に配置された前記供給胴（４３）は、それぞれ全体が位置変化可能に支持されていることを特徴とする、請求項１または２または３または４または５または６または７または８記載の機械構造物。
【請求項１０】
それぞれ、各々の前記印刷胴（２２；３８）の直前に配置された前記渡しドラム（４３）または直前に配置された前記供給胴（４３）の前記胴面（２９）は、それぞれ位置変化可能に支持されていることを特徴とする、請求項８または９記載の機械構造物。
【請求項１１】
それぞれ、各々の前記印刷胴（２２；３８）の直前に配置された前記渡しドラム（４３）または直前に配置された前記供給胴（４３）は、それぞれ偏心軸受（３１）に支持されている、またはそれぞれ、各々の前記印刷胴（２２；３８）の直前に配置された前記渡しドラム（４３）または直前に配置された前記供給胴（４３）の前記胴面（２９）は、それぞれ偏心軸受（３１）に支持されていることを特徴とする、請求項８または９または１０記載の機械構造物。
【請求項１２】
それぞれ、各々の前記印刷胴（２２；３８）の直前に配置された前記渡しドラム（４３）または直前に配置された前記供給胴（４３）は、それぞれ蓄えドラムとしてまたは吸着ドラムとして構成されていることを特徴とする、請求項１または２または３または４または５または６または７または８または９または１０または１１記載の機械構造物。
【請求項１３】
各々の前記印刷胴（２２；３８）は、それぞれ軸方向に延在するとともに外周面において開いた少なくとも１つの溝（６２）または胴溝（６２）において、それぞれ、各々の基材をそれぞれ保持する少なくとも１つのグリッパを有することを特徴とする、請求項１または２または３または４または５または６または７または８または９または１０または１１または１２記載の機械構造物。
【請求項１４】
それぞれ、各々の前記印刷胴（２２；３８）の直前に配置された前記渡しドラム（４３）または直前に配置された前記供給胴（４３）の前記胴面（２９）は、それぞれ、前記印刷胴（２２；３８）の外周面に配置された該当する前記グリッパが通過するための少なくとも１つのアンダカットを有することを特徴とする、請求項１３記載の機械構造物。
【請求項１５】
該当する前記印刷胴（２２；３８）の少なくとも１つの前記グリッパは、各々の前記溝（６２）にまたは各々の前記胴溝（６２）において、それぞれ前記印刷胴（２２；３８）の外周面の内側へ降下されるまたは少なくとも降下可能であることを特徴とする、請求項１３または１４記載の機械構造物。
【請求項１６】
各々の前記印刷胴（２２；３８）は、それぞれ吸着胴として構成されていることを特徴とする、請求項１または２または３または４または５または６または７または８または９または１０または１１または１２または１３または１４または１５記載の機械構造物。
【請求項１７】
該当する前記印刷胴（２２；３８）への吸着空気の供給は、その都度前記印刷胴（２２；３８）の回転角度位置に依存して切り換えられるまたは少なくとも切換え可能であることを特徴とする、請求項１６記載の機械構造物。
【請求項１８】
各々の前記印刷胴（２２；３８）は、それぞれ外周面で、周方向に相前後して複数の、特に２つ、３つまたは４つの、その都度１つの基材をそれぞれ保持するための区分（５１；５２；５３；５４）を有することを特徴とする、請求項１または２または３または４または５または６または７または８または９または１０または１１または１２または１３または１４または１５または１６または１７記載の機械構造物。
【請求項１９】
隣り合う連続する前記区分（５１；５２；５３；５４）は、それぞれ前記外周面において開いた溝（６２）または胴溝（６２）により相互に分離されていることを特徴とする、請求項１８記載の機械構造物。
【請求項２０】
各々の前記区分（５１；５２；５３；５４）において、それぞれ前記印刷胴（２２；３８）の内側から外周面に向けて延在する複数の通路（５６）が終端して配置されており、前記通路（５６）において、吸着装置により、周辺空気圧に対して負圧が形成されるまたは少なくとも形成可能であることを特徴とする、請求項１８または１９記載の機械構造物。
【請求項２１】
それぞれ前記区分（５１；５２；５３；５４）のうちの１つの区分において終端する複数の通路（５６）が、各々の前記区分（５１；５２；５３；５４）において前記印刷胴（２２；３８）の外周面に吸着孔区分を形成することを特徴とする、請求項２０記載の機械構造物。
【請求項２２】
各々の前記吸着孔区分の大きさは、保持されるべき基材の判型に依存して調整されるまたは少なくとも調整可能であることを特徴とする、請求項２１記載の機械構造物。
【請求項２３】
各々の前記区分（５１；５２；５３；５４）の、前記印刷胴（２２；３８）の回転方向に少なくとも前方の端部にまたは前方の端部にだけ、それぞれ少なくとも１つのサッカ（５８）または前記印刷胴（２２；３８）の軸方向に延在する１つのサッカ（５８）列が設けられていることを特徴とする、請求項１８または１９または２０または２１または２２記載の機械構造物。
【請求項２４】
前記印刷胴（２２；３８）の回転方向において、各々の前記区分（５１；５２；５３；５４）の前方の端部に、それぞれ基材を保持するための、それぞれ少なくとも１つのグリッパおよび少なくとも１つのサッカ（５８）が配置されていることを特徴とする、請求項１８または１９または２０または２１または２２または２３記載の機械構造物。
【請求項２５】
各々の前記区分（５１；５２；５３；５４）の、前記印刷胴（２２；３８）の回転方向で少なくとも前方の端部にまたは前方の端部にだけ、それぞれ１つの歯列（５７）が設けられていることを特徴とする、請求項１８または１９または２０または２１または２２または２３または２４記載の機械構造物。
【請求項２６】
前記歯列（５７）の歯部の領域に、それぞれ１つのまたは複数のサッカ（５８）が配置されていることを特徴とする、請求項２５記載の機械構造物。
【請求項２７】
前記歯列（５７）の歯部の領域に、１つのサッカ（５８）列が配置されていることを特徴とする、請求項２５または２６記載の機械構造物。
【請求項２８】
該当する前記印刷胴（２２；３８）に関して、前記印刷胴（２２；３８）の回転方向において第１の区分（５１；５２；５３；５４）の後方の端部の回転角度位置は、該当する第１の区分（５１；５２；５３；５４）の直後に配置された第２の区分（５１；５２；５３；５４）の前方の端部に対して相対的に、前記第１の区分（５１；５２；５３；５４）において保持されるべき基材の判型に依存して可変に調整可能であることを特徴とする、請求項１８または１９または２０または２１または２２または２３または２４または２５または２６または２７記載の機械構造物。
【請求項２９】
それぞれ、各々の前記印刷胴（２２；３８）の直前に配置された前記渡しドラム（４３）または直前に配置された前記供給胴（４３）の直径は、それぞれ、各々の前記印刷胴（２２；３８）の直径の整数分の１よりも０．１％〜３％の範囲で小さく構成されていることを特徴とする、請求項１または２または３または４または５または６または７または８または９または１０または１１または１２または１３または１４または１５または１６または１７または１８または１９または２０または２１または２２または２３または２４または２５または２６または２７または２８記載の機械構造物。
【請求項３０】
基材加工ユニット（２６）を有する加工ステーションの加工胴の回転軸線と、直後に配置された渡しドラム（４４）または直後に配置された搬送胴（４４）の回転軸線とを通って延在する直線が、水平線に対して鋭角（α１）を形成し、かつ／または基材加工ユニット（２６）を有する加工ステーションの加工胴の回転軸線と、直前に配置された渡しドラム（４３）または直前に配置された供給胴（４３）の回転軸線とを通って延在する直線が、水平線に対して鋭角（α２）を形成し、水平線は、それぞれ該当する前記渡しドラム（４３；４４）の回転軸線または該当する前記搬送胴（４４）または該当する前記供給胴（４３）の回転軸線を通って延在することを特徴とする、請求項１または２または３または４または５または６または７または８または９または１０または１１または１２または１３または１４または１５または１６または１７または１８または１９または２０または２１または２２または２３または２４または２５または２６または２７または２８または２９記載の機械構造物。
【請求項３１】
前置された前記渡しドラム（４３）または前置された前記供給胴（４３）に関して向けられた角度（α２）は、１５°〜３０°の範囲または２０°〜２５°の範囲にある、または２２．５°であることを特徴とする、請求項３０記載の機械構造物。
【請求項３２】
後置された前記渡しドラム（４４）または後置された前記搬送胴（４４）に関して向けられた角度（α１）は、前置された前記渡しドラム（４３）または前置された前記供給胴（４３）に関して向けられた角度（α２）の１倍〜２倍の範囲にある、または前置された前記渡しドラム（４３）または前置された前記供給胴（４３）に関して向けられた角度（α２）の１．３倍〜１．７倍の範囲にある、または前置された前記渡しドラム（４３）または前置された前記供給胴（４３）に関して向けられた角度（α２）の１．５倍であることを特徴とする、請求項３０または３１記載の機械構造物。
【請求項３３】
該当する前記ノンインパクト印刷装置（０６；３７）を有する前記加工ステーションにおける該当する前記印刷胴（２２；３８）の外周面と、基材の搬送方向（Ｔ）で次の加工ステーションの、前記基材加工ユニット（２６）に配置された加工胴の外周面との間の水平方向の間隔（ａ）は、前記加工胴の少なくとも２倍の直径（ｄ）に相当することを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２記載の機械構造物。
【請求項３４】
前記加工ステーション（０１；０２；０３；０４；０６；０７；０８；０９；１１；１２）は、それぞれモジュールとして構成されており、各々のモジュールは、独立して製作された機械ユニットまたは機能性構成群であることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３記載の機械構造物。
【請求項３５】
各々の前記モジュールは、独自のフレーム内に配置されていることを特徴とする、請求項３４記載の機械構造物。
【請求項３６】
該当する前記ノンインパクト印刷装置（０６；３７）を有する前記加工ステーションの直前にまたは直後に、それぞれ、独自のフレーム内に配置された、基材加工ユニット（２６）を有しない基材ガイドユニット（２４）の態様の搬送モジュールが配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５記載の機械構造物。
【請求項３７】
各々の前記渡しモジュールは、それぞれ少なくとも２つまたは３つの搬送胴または渡しドラムを有することを特徴とする、請求項３６記載の機械構造物。
【請求項３８】
該当する前記機械構造物は、それぞれ特定の生産に依存して、その都度基材を加工する、特定の生産で協働する少なくとも３つの様々な前記加工ステーション（０１；０２；０３；０４；０６；０７；０８；０９；１１；１２）の選択および組合せにより構成されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７記載の機械構造物。
【請求項３９】
隣り合うモジュールは、該モジュールの接合箇所に、略鉛直の接合面を有することを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８記載の機械構造物。
【請求項４０】
前記基材ガイドユニット（２４）および前記基材加工ユニット（２６）は、該基材ガイドユニット（２４）および該基材加工ユニット（２６）の接合箇所に、それぞれ略水平の接合面を有することを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９記載の機械構造物。
【請求項４１】
それぞれ、各々の前記印刷胴（２２；３８）の直前に配置された前記渡しドラム（４３）または直前に配置された前記供給胴（４３）は、それぞれ周に、該当する基材を保持する少なくとも１つのグリッパ（６１）を有することを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０記載の機械構造物。
【請求項４２】
該当する前記印刷胴（２２；３８）の各々の前記溝（６２）または前記胴溝（６２）と、前記印刷胴（２２；３８）の直前に配置された前記渡しドラム（４３）または直前に配置された前記供給胴（４３）の前記少なくとも１つのグリッパ（６１）とは、それぞれ、基材を前記渡しドラム（４３）または前記供給胴（４３）から該当する前記印刷胴（２２；３８）へ引き渡すための、前記溝（６２）または前記胴溝（６２）および前記グリッパ（６１）の各々の回転角度位置および操作位置で相互に同期化されていることを特徴とする、請求項４１記載の機械構造物。
【請求項４３】
その都度の該当する前記ノンインパクト印刷装置（０６；３７）により印刷されるべき基材が、該当する前記印刷胴（２２；３８）上でまたは前記印刷胴（２２；３８）の直前に配置された前記渡しドラム（４３）上でまたは直前に配置された前記供給胴（４３）上で、それぞれ前記基材のその都度の伸び姿勢で配置されており、該伸び姿勢とは、基材の後縁が基材の前縁に関して正確な位置に固定された基材の状態を表すことを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２記載の機械構造物。
【請求項４４】
前記印刷胴（２２；３８）の直後に配置された前記渡しドラム（４４）または直後に配置された前記搬送胴（４４）の下方に、かつ／または前記印刷胴（２２；３８）の直前に配置された前記渡しドラム（４３）または前記印刷胴（２２；３８）の直前に配置された供給胴（４３）の下方に、それぞれ、その都度搬送されるべき基材を支持するために、それぞれガイドプレート（４２）を有するコーム型サッカ（３３）が配置されており、前記基材は、その都度該当する前記コーム型サッカ（３３）の前記ガイドプレート（４２）に沿って、該ガイドプレート（４２）に擦過して搬送されることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３記載の機械構造物。
【請求項４５】
搬送されるべき基材を支持するための前記コーム型サッカ（３３）の前記ガイドプレート（４２）は、搬送されるべき基材の搬送方向（Ｔ）で相互に平行に配置された複数の櫛歯（３６）を具備する載設部を有することを特徴とする、請求項４４記載の機械構造物。
【請求項４６】
前記コーム型サッカ（３３）は、少なくとも１つの吸着装置（３４）を有し、該吸着装置（３４）により、前記ガイドプレート（４２）に支持されるべき基材が、該ガイドプレート（４２）の方向へ吸着されることを特徴とする、請求項４４または４５記載の機械構造物。
【請求項４７】
該当する前記印刷胴（２２；３８）の周に、吹出空気装置（２７）および／または押圧要素（２８）が配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６記載の機械構造物。
【請求項４８】
前記吹出空気装置（２７）および／または前記押圧要素（２８）は、それぞれ該当する前記印刷胴（２２；３８）の回転方向で、該印刷胴（２２；３８）の周に配置された少なくとも１つの前記ノンインパクト印刷装置（０６；３７）の手前に配置されていることを特徴とする、請求項４７記載の機械構造物。
【請求項４９】
前記押圧要素（２８）は、均しドラムとして構成されており、該均しドラムは、独自の回転駆動装置を有することを特徴とする、請求項４７または４８記載の機械構造物。
【請求項５０】
前記押圧要素（２８）は、該当する前記印刷胴（２２；３８）の外周面に配置された少なくとも１つのグリッパが通過するための少なくとも１つのアンダカットを有することを特徴とする、請求項４７または４８または４９記載の機械構造物。
【請求項５１】
前記均しドラムの前記回転駆動装置により、前記印刷胴（２２；３８）の回転に関する回転数差が調整されるまたは少なくとも調整可能であることを特徴とする、請求項４９または５０記載の機械構造物。
【請求項５２】
該当する前記印刷胴（２２；３８）の周に、基材の搬送方向（Ｔ）で、相前後して複数の、特に４つ、５つ、６つまたは７つの、それぞれ個別に制御される前記ノンインパクト印刷装置（０６；３７）が配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１記載の機械構造物。
【請求項５３】
前記ノンインパクト印刷装置（０６；３７）は、シアン、マゼンタ、イエローおよび／または墨の印刷インキならびにオレンジおよび／またはグリーンおよび／またはバイオレットの特殊インキのうちの少なくとも１つの特殊インキで印刷を行うことを特徴とする、請求項５２記載の機械構造物。
【請求項５４】
基材の搬送方向（Ｔ）で、少なくとも１つの前記ノンインパクト印刷装置（０６；３７）の後方にまたは複数の前記ノンインパクト印刷装置（０６；３７）の後方に、乾燥機（０７；０９）が配置されており、該乾燥機（０７；０９）は、各々の基材を、熱風によりかつ／または赤外放射または紫外放射による照射により乾燥するように構成されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３記載の機械構造物。
【請求項５５】
基材の搬送方向（Ｔ）で、少なくとも１つの前記ノンインパクト印刷装置（０６；３７）の手前にまたは複数の前記ノンインパクト印刷装置（０６；３７）の手前に、各々の基材にその都度被覆を施す被覆装置（０２；０３；０８）が配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３または５４記載の機械構造物。
【請求項５６】
前記被覆装置（０２；０３；０８）は、プライマ塗布装置（０２）として、またはコールドフォイル塗布装置（０３）として、または塗工装置（０８）として構成されていることを特徴とする、請求項５５記載の機械構造物。
【請求項５７】
基材の搬送方向（Ｔ）で、少なくとも１つの前記ノンインパクト印刷装置（０６；３７）の手前にまたは複数の前記ノンインパクト印刷装置（０６；３７）の手前に、かつ前記被覆装置（０２；０３；０８）の後方に、乾燥機（０７）が配置されていることを特徴とする、請求項５５または５６記載の機械構造物。
【請求項５８】
基材の搬送方向（Ｔ）で、少なくとも１つの前記ノンインパクト印刷装置（０６；３７）の手前にまたは複数の前記ノンインパクト印刷装置（０６；３７）の手前に、かつ前記被覆装置（０２；０３；０８）の後方に配置された前記乾燥機（０７）は、各々の基材を熱風によりかつ／または赤外放射による照射により乾燥するように構成されていることを特徴とする、請求項５７記載の機械構造物。
【請求項５９】
基材の搬送方向（Ｔ）で、少なくとも１つの前記ノンインパクト印刷装置（０６；３７）の後方にまたは複数の前記ノンインパクト印刷装置（０６；３７）の後方に、その都度塗料を各々の基材に塗布する塗工装置（０８）が配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３または５４または５５または５６または５７または５８記載の機械構造物。
【請求項６０】
基材の搬送方向（Ｔ）で、その都度塗料を各々の基材に塗布する前記塗工装置（０８）の後方に乾燥機（０９）が配置されていることを特徴とする、請求項５９記載の機械構造物。
【請求項６１】
基材の搬送方向（Ｔ）で、その都度塗料を各々の基材に塗布する前記塗工装置（０８）の後方に配置された前記乾燥機（０９）は、各々の基材を紫外放射による照射により乾燥するように構成されていることを特徴とする、請求項６０記載の機械構造物。
【請求項６２】
各々の基材を紫外放射による照射により乾燥する前記乾燥機（０７；０９）は、ＬＥＤ乾燥機として構成されていることを特徴とする、請求項５４または５５または５６または５７または５８または５９または６０または６１記載の機械構造物。
【請求項６３】
基材の搬送方向（Ｔ）で、少なくとも１つの前記ノンインパクト印刷装置（０６；３７）の後方にまたは複数の前記ノンインパクト印刷装置（０６；３７）の後方に、または基材の搬送方向（Ｔ）で、その都度塗料を各々の基材に塗布する前記塗工装置（０８）の後方に、機械的な後続処理装置（１１）として構成された加工ステーション（０１；０２；０３；０４；０６；０７；０８；０９；１１；１２）が設けられており、前記機械的な後続処理装置（１１）は、少なくとも１つの加工部（４６）を有し、該加工部（４６）により、各々の基材は、それぞれ打抜きによりかつ／またはクリージングによりかつ／または部分の分離により加工されることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３または５４または５５または５６または５７または５８または５９または６０または６１または６２記載の機械構造物。
【請求項６４】
基材の搬送方向（Ｔ）で、複数の前記加工ステーション（０１；０２；０３；０４；０６；０７；０８；０９；１１；１２）のうちの最初の加工ステーションとしてシートフィーダ（０１）が配置されていて、かつ／または複数の前記加工ステーション（０１；０２；０３；０４；０６；０７；０８；０９；１１；１２）のうちの最後の加工ステーションとしてマルチスタックデリバリ（１２）が配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３または５４または５５または５６または５７または５８または５９または６０または６１または６２または６３記載の機械構造物。
【請求項６５】
複数の前記加工ステーション（０１；０２；０３；０４；０６；０７；０８；０９；１１；１２）は、基材の搬送方向（Ｔ）で相並んで配置されていることを特徴とする、請求項１または２または３または４または５または６または７または８または９または１０または１１または１２または１３または１４または１５または１６または１７または１８または１９または２０または２１または２２または２３または２４または２５または２６または２７または２８または２９または３０または３１または３２または３３または３４または３５または３６または３７または３８または３９または４０または４１または４２または４３または４４または４５または４６または４７または４８または４９または５０または５１または５２または５３または５４または５５または５６または５７または５８または５９または６０または６１または６２または６３または６４記載の機械構造物。
【発明の詳細な説明】
【技術分野】
【０００１】
本発明は、請求項１に記載の、シート状の基材を連続的に加工する機械構造物に関する。
【０００２】
国際公開第２００４／０１３７０４号（WO 2004/013704 A1）において、周方向に判型フリーのデジタル印刷部を有する、非接触式のダイレクトシート印刷用のデジタル印刷機が公知である。このデジタル印刷機は、デジタル印刷部に後置された搬送装置を有し、搬送装置は、その周に、シートを保持するグリッパを有し、搬送装置は、好適には複数の搬送胴および／または搬送ベルトおよび／または対応圧胴を有する。
【０００３】
欧州特許出願公開第２５４０５１３号（EP 2 540 513 A1）明細書において、それぞれ表面と裏面とを有する複数のシート状の基材を連続的に加工する機械構造物が公知であり、この機械構造物は、第１の印刷胴と第２の印刷胴と、を備え、この場合、それぞれ第１の印刷胴の周に、該当する基材の表面に印刷を行う少なくとも１つの第１のノンインパクト印刷装置と、第１の印刷胴の回転方向で第１のノンインパクト印刷装置の後方に、該当する基材の、第１のノンインパクト印刷装置により印刷が行われた表面を乾燥する乾燥機とが配置されており、この場合、それぞれ、第２の印刷胴の周に、該当する基材の裏面に印刷を行う少なくとも１つの第２のノンインパクト印刷装置と、第２の印刷胴の回転方向において第２のノンインパクト印刷装置の後方に、該当する基材の、第２のノンインパクト印刷装置により印刷が行われた裏面を乾燥する乾燥機とが配置されており、この場合、第１の印刷胴は、表面に印刷が行われて乾燥された該当する基材を、直接に第２の印刷胴へ引き渡す。
【０００４】
欧州特許第１４４０３５１号明細書（EP 1 440 351 B1）において、非接触式のダイレクトシート印刷のためのデジタル印刷機が公知であり、弾性的に被覆が施された搬送装置であって、搬送装置上で被印刷物が搬送され、搬送装置は、搬送装置の周にシートを保持する少なくとも１つのグリッパを有する、かつ／または搬送装置に、シートの前縁を位置決めするストッパが設けられている、搬送装置と、搬送装置の周方向において大きさが可変のデジタル印刷部と、を備え、グリッパおよび／またはストッパの最高点と、被印刷物の印刷されるべき表面との間の間隔は、印刷プロセスの間、被印刷物の印刷されるべき表面とデジタル印刷部との間の間隔よりも小さく、グリッパおよび／またはストッパの最高点は、被覆が施されていない搬送装置の表面を越えて突出している。
【０００５】
独国特許出願公開第１０２０１５２１１６３７号明細書（DE 10 2015 211 6373 A1）において、インクジェット印刷胴と少なくとも１つの引渡しドラムとを有する印刷ユニットを通ってシートを搬送する装置が公知であり、この装置では、各々のシートは、インクジェット印刷胴に保持され、前置された引渡しドラムから前縁引き渡しにより渡され、シートの折り目のない状態のための伸ばしドラムが、インクジェット印刷胴に設けられている。
【０００６】
独国特許出願公開第１０３１２８７０号明細書（DE 103 12 870 A1）において、枚葉印刷用のデジタル印刷機が公知であり、このデジタル印刷機は、周方向で判型フリーのデジタル印刷部と、デジタル印刷部に後置された中間胴であって、弾性材料により少なくとも部分的に被覆されている、中間胴と、中間胴に後置された対応圧胴と、を備え、対応圧胴は、シートを保持するグリッパを有し、中間胴は、その周に、グリッパを収容する凹部を有する。
【０００７】
独国特許発明第１０２０１４０１０９０４号明細書（DE 10 2014 010 904 B3）において、シート状の被印刷物に両面で印刷を行う装置が公知であり、この装置では、被印刷物は、対応圧胴上で３６０°を超えて案内され、その際、被印刷物は、裏面印刷側で新たにインキ着けユニットの作用領域に達する。インキ着けユニットにより、被印刷物は、前置された対応圧胴上で既に表面印刷側で印刷が行われている。この場合、インキ着けユニットは、相前後して配置された２つの対応圧胴の間を好適には揺動させることができ、この場合、揺動可能なインキ着けユニットは、たとえばインクジェット印刷ヘッドである。
【０００８】
独国特許出願公開第１０２００９０００５１８号明細書（DE 10 2009 000 518 A1）において、枚葉印刷機が公知であり、この枚葉印刷機は、印刷が行われるべき印刷シートを枚葉印刷機に導入するためのフィーダと、全ての印刷シートにとって同一の、静的な印刷像を印刷シートに印刷するための、少なくとも１つの印刷部および／または塗工部と、印刷が行われた印刷シートを枚葉印刷機から導出するためのデリバリと、特に動的で変更可能な印刷像を印刷シートに印刷するための、枚葉印刷機に組み込まれた、判型フリーの少なくとも１つの印刷装置と、を備え、枚葉印刷機における判型フリーのこの印刷装置または各々の印刷装置は、プロセスパラメータ、運転パラメータ、ジョブパラメータまたは品質パラメータに依存して制御可能に組み込まれている。
【０００９】
独国特許出願公開第１０２００９００２５８０号明細書（DE 10 2009 002 580 A1）において、印刷機、特に枚葉オフセット印刷機が公知であり、この枚葉オフセット印刷機では、列状に配置された、それぞれ印刷部または塗工部として構成された複数のベースモジュールに、シートデリバリベースモジュールが後置されており、シートデリバリベースモジュールは、シート材料を案内する印刷胴を有し、シートデリバリベースモジュールの印刷胴の周に、被印刷物にマーキングを行うインクジェット装置が配置されている。
【００１０】
独国実用新案第２０００６５１３号明細書（DE 200 06 513 U1）は、枚葉輪転印刷機に関し、この枚葉輪転印刷機は、シートフィーダと、シートデリバリと、シートフィーダとシートデリバリとの間に配置された、基本構造において相互に同一の複数のベースモジュールと、を備え、ベースモジュールは、シートガイド胴とシート送り装置とを有し、ベースモジュールには、印刷部、塗工部または乾燥部が装着可能であり、シート送り方向で最後のベースモジュールとシートデリバリとの間に、シート送り装置とシートガイド胴とを有するマルチ機能モジュールが配置されており、マルチ機能モジュールは、種々異なる複数の追加装置を組み付けるように用意されており、マルチ機能モジュールには、たとえばインクジェットマーキングを取り付けるための装備が成されている。
【００１１】
後から公開された独国特許発明第１０２０１６２０７３９８号明細書（DE 10 2016 207 398 B3）、米国特許出願公開第２００９／０２８４５６１号明細書（US 2009/0284561 A1）、米国特許出願公開第２００９／０２４４２３７号明細書（US 2009/0244237 A1）および米国特許出願公開第２０１１／０２０５３２１号明細書 （US 2011/0205321 A1）において、それぞれシート状の基材を連続的に加工する機械構造物が公知であり、各々の機械構造物は、それぞれ複数の様々な加工ステーションを有し、これらの加工ステーションのうちの少なくとも１つの加工ステーションは、それぞれ基材にその都度印刷を行うノンインパクト印刷装置を有し、該当するノンインパクト印刷装置を有する加工ステーションは、印刷胴を有し、各々のノンインパクト印刷装置は、それぞれ印刷胴の周に配置されている。
【００１２】
米国特許第７９０９４５４号明細書（US 7 909 454 B2）において、シート状の基材に連続的に印刷を行う印刷機が公知であり、この印刷機では、インクジェット印刷装置が、印刷胴の周に配置されており、印刷胴の直前に供給胴が配置されており、印刷胴だけではなく供給胴もそれぞれ印刷されるべき基材を保持するグリッパを有する。
【００１３】
欧州特許出願公開第２６１００６４号明細書（EP 2 610 064 A1）において、インクジェット記録装置が公知であり、このインクジェット印刷装置は、ａ）枚葉の紙媒体を吸着することにより、吸着表面へ媒体を送るための可動の吸着表面を有する送り装置、および吸着表面の所定の領域に規則的に配置された吸着開口と、ｂ）送り装置によって送られる媒体の表面にインクジェット方式でインクを吐出して画像を描画する記録ヘッドと、を備える。
【００１４】
特開２０１５−６３３９８号公報（JP 2015 63 398 A）において、吸着ドラムとして構成された搬送胴を備えるインクジェット記録装置が公知である。
【００１５】
欧州特許出願公開第２７５２３８０号明細書（EP 2 752 380 A1）において、送り装置および像形成装置が公知であり、送り装置は、複数の吸着区分を具備するドラムを有する。
【００１６】
本発明の根底を成す課題は、複数のシート状の基材を連続的に加工する機械構造物を提供することである。
【００１７】
この課題は、本発明によれば、請求項１の特徴部に記載の構成により解決される。各々の従属請求項は、見いだされた解決手段の好適な改良態様および／または構成を表している。
【００１８】
本発明により得られた利点は、以下の説明から明らかである。
【００１９】
さらに、記述の解決手段は、ハイブリッド方式の、シート状の基材を加工する機械構造物に、好適にはハイブリッド方式の印刷機に使用可能である。このハイブリッド方式の印刷機は、従来慣用の、たとえばオフセット印刷法で、またはフレキソ印刷法で、またはスクリーン印刷法で印刷する印刷装置または特に塗工部の被覆装置の高い生産性を、様々に、フレキシブルでそれぞれ変更可能な印刷像を印刷するたとえばインクジェットプリンタとして構成された少なくとも１つのノンインパクト印刷装置と組み合わせて利用し、この場合、従来慣用の印刷装置または被覆装置だけではなくノンインパクト印刷装置も、生産進行時に、インラインで、その都度生産にとって最適な作業速度で使用される。そのようなハイブリッド方式の機械構造物は、特に包装手段、たとえば折畳み箱を製造するためのシートを生産するために極めて好適である。というのも、各印刷装置のそれぞれの強みが利用され、これにより包装手段のフレキシブルで経済的な生産がもたらされるからである。それぞれグリッパ閉鎖部において次に続く加工ステーションへシート状の基材を引き渡す、回転体、特に胴と、グリッパストリップまたはグリッパキャリッジとを用いたシート状の基材の搬送は、枚葉オフセット印刷機から知られているように、最大限可能な見当精度を保証する。
【００２０】
以下、本発明の実施の態様を図面に示し、詳説する。
【図面の簡単な説明】
【００２１】
【図１】様々な生産ラインを表すためのブロック回路図を示す。
【図２】複数の様々な加工ステーションを有する第１の機械構造物を示す。
【図３】複数の様々な加工ステーションを有する別の機械構造物を示す。
【図４】複数の様々な加工ステーションを有する別の機械構造物を示す。
【図５】複数の様々な加工ステーションを有する別の機械構造物を示す。
【図６】複数の様々な加工ステーションを有する別の機械構造物を示す。
【図７】複数の様々な加工ステーションを有する別の機械構造物を示す。
【図８】複数の様々な加工ステーションを有する別の機械構造物を示す。
【図９】反転装置を有する、複数のシート状の基材を両面で連続的に加工する別の機械構造物を示す。
【図１０】様々な長さの基材ガイドユニットを有する機械構造物を示す。
【図１１】印刷胴と様々な大きさの渡しドラムとを有する機械構造物を示す。
【図１２】印刷胴と様々な大きさの渡しドラムとを有する機械構造物を示す。
【図１３】印刷胴と様々な大きさの渡しドラムとを有する機械構造物を示す。
【図１４】印刷胴および渡しドラムの詳細図を示す。
【図１５】印刷胴を示す。
【図１６】印刷胴の一部の第１の斜視図を示す。
【図１７】印刷胴の一部の第２の斜視図を示す。
【図１８】渡しドラムと協働している状態で印刷胴を示す。
【図１９】ガイドプレートを有するコーム型サッカの斜視図を示す。
【００２２】
図１は、ブロック回路図で様々な生産ラインを具体的に示している。生産ラインは、その都度少なくとも１つのシート状の基材、特に被印刷物、好適には特に矩形の印刷シート、略してシートを加工するための、複数の特に様々な加工ステーション０１；０２；０３；０４；０６；０７；０８；０９；１１；１２を有する機械構造物により実現されるまたは少なくとも実現可能である。この場合、この少なくとも１つの基材は、材料、材料厚さおよび／または坪量に応じて、高いまたは低い曲げ剛性を有して構成されている。通常、生産ラインにおいて、特定の生産の間、順次複数のシート、つまり連続するシートが、それぞれ同一の加工ステーション０１；０２；０３；０４；０６；０７；０８；０９；１１；１２により加工される。この場合、好適には、これらの加工ステーション０１；０２；０３；０４；０６；０７；０８；０９；１１；１２の各々は、それぞれたとえば独自の機能性を有するモジュールとして構成されており、この場合、モジュールとは、通常は、独立して製造された、またはそれぞれ、それ自体単独で独自のフレーム内で組み立てられた少なくとも１つの機械ユニットまたは機能的な構成群と解されるべきである。機械構造物内で相並んで位置するモジュールは、機械構造物を個々のユニットに分割し、その際、隣り合うモジュールは、その接合箇所で略鉛直の接合面を有する。各々の機械構造物に配置された加工ステーション０１；０２；０３；０４；０６；０７；０８；０９；１１；１２の各々は、好適には独立して製造され、好適な態様では、たとえば個別にそれぞれの機能が検査可能である。それぞれシートを加工する、特定の生産で協働する少なくとも３つの様々な、それぞれモジュールとして構成された加工ステーション０１；０２；０３；０４；０６；０７；０８；０９；１１；１２の選択および組合せによりそれぞれ特定の生産に依存して形成された該当する機械構造物は、それぞれ１つの特定の生産ラインを具体的に形成する。複数の加工ステーション０１；０２；０３；０４；０６；０７；０８；０９；１１；１２を有する、それぞれ特定の機械構造物により具体的に形成される図示の生産ラインの各々は、それぞれ特に、被印刷物、好適には印刷が行われたシートから形成された包装手段を生産するように構成されている。製造されるべき包装手段は、たとえばそれぞれ１つの折畳み箱であり、包装手段は、それぞれ印刷が行われた複数のシートから製造される。したがって、様々な生産ラインは、特にそれぞれ異なる包装手段を生産するように構成されている。この場合、特定の生産の間に必要とされる、被印刷物の加工は、その都度インラインで行われ、つまり、特定の生産に関与する加工ステーション０１；０２；０３；０４；０６；０７；０８；０９；１１；１２は、その都度の生産に対して選択された、各々の加工ステーション０１；０２；０３；０４；０６；０７；０８；０９；１１；１２を有する機械構造物を被印刷物が通走するときに、規定通りの順序で相前後して互いに調整して使用され、その際、各々の機械構造物により行われる生産の間に、被印刷物、つまり加工されたシートのための中間貯蔵部が設けられていない。
【００２３】
図１に示された全ての生産ラインにおいて、これらの生産ラインがそれぞれ加工ステーション０６と協働することが共通している。加工ステーション０６は、少なくとも１つのノンインパクト印刷装置０６、好適には複数の、たとえば４つ、５つ、６つまたは７つ以上の、特にそれぞれ個別に制御されるノンインパクト印刷装置０６を有し、この場合、これらのノンインパクト印刷装置０６は、被印刷物の搬送方向Ｔで、好適には相前後して配置されていて、これらのノンインパクト印刷装置０６がそれぞれ搬送方向Ｔに対して横向きに向けられた、少なくともほぼその全体の幅において被印刷物に印刷を行うまたは少なくとも印刷を行うことができるように、構成されている。各々のノンインパクト印刷装置０６は、それぞれ特に少なくとも１つのインクジェットプリンタまたは少なくとも１つのレーザプリンタにより実現されている。インクジェットプリンタは、ドットマトリックスプリンタであり、ドットマトリックスプリンタでは、小さなインキ滴の目的に合った発射または変向により印刷像が形成され、この場合、インクジェットプリンタは、連続式インクジェットを用いる機器（連続インクジェット；Ｃｏｎｔｉｎｕｏｕｓ  Ｉｎｋ  Ｊｅｔ＝ＣＩＪ）または個別のインキ滴を放出する機器（ドロップオンデマンド；Ｄｒｏｐ  Ｏｎ  Ｄｅｍａｎｄ＝ＤＯＤ）として構成されている。レーザプリンタは、電子写真方式で各々の印刷像を形成する。少なくとも１つのノンインパクト印刷装置０６を有する、被印刷物を加工する機械構造物は、たとえばデジタル印刷機とも称される。
【００２４】
以下、たとえば、複数の加工ステーション０１；０２；０３；０４；０６；０７；０８；０９；１１；１２を有する各々の機械構造物において、被印刷物として、それぞれ一連の、たとえば紙、単層のまたは多層の厚紙、または板紙から成る特に高い曲げ剛性を有するシートが処理されて、特に包装手段が形成されることを前提としている。被印刷物である紙、厚紙および板紙は、各々の坪量と称される面積あたり重さが、つまりこの被印刷物の１平方メートルあたりのグラムの質量が異なっている。この場合、一般的に７ｇ／ｍ２〜１５０ｇ／ｍ２の坪量を有する前述の被印刷物は、紙であり、１５０ｇ／ｍ２〜６００ｇ／ｍ２の坪量を有する被印刷物は、厚紙であり、６００ｇ／ｍ２を超える坪量を有する被印刷物は、板紙である。折畳み箱を製造するために、特に、それぞれ良好な印刷性を有し、かつこれに続くたとえば塗装および打抜きなどの表面加工または処理に適した厚紙または板紙が使用される。厚紙または板紙は、その繊維材料使用量から、必要に応じて、たとえば木質繊維を含まない、わずかに木質繊維を含む、木質繊維を含むまたは古紙を含む。その構成において、多層の厚紙または板紙、たとえば段ボールは、それぞれ上層と、中層と、裏面としての下層とを有する。その表面特性から、厚紙または板紙は、たとえば塗工されていない、染色されている、塗工されている、またはキャストコーティングされている。シートの判型は、たとえば３４０ｍｍ×４８０ｍｍ〜７４０ｍｍ×１０６０ｍｍの範囲にあり、この場合、この判型表示において、通常は、最初の数は、シートの搬送方向Ｔでの長さを表し、２番目の数は、搬送方向Ｔに対して直交方向に向けられたシートの幅を表す。
【００２５】
図１のブロック回路図において、加工ステーション０１；０２；０３；０４；０６；０７；０８；０９；１１；１２のうちの複数の加工ステーションにより形成可能な各々の生産ラインが、被印刷物の搬送方向Ｔに関して実質的に右から左へ延在し、この場合、それぞれ２つの加工ステーション０１；０２；０３；０４；０６；０７；０８；０９；１１；１２を互いに接続する方向矢印の各々は、それぞれ、被印刷物が通走するべき搬送経路と、これに付属する搬送方向Ｔを表し、これにより、加工ステーション０１；０２；０３；０４；０６；０７；０８；０９；１１；１２のうちの１つの加工ステーションから、その都度の生産に関して特定された機械構造物において選択された次の加工ステーション０１；０２；０３；０４；０６；０７；０８；０９；１１；１２に至る。その都度の生産は、加工ステーション０１において提供されたシートで始まり、この場合、加工ステーション０１は、フィーダ０１として、たとえばシートフィーダ０１またはマガジンフィーダ０１として構成されている。シートフィーダ０１は、通常は、たとえばパレット上に積まれたシートのスタックを収容する一方、マガジンフィーダ０１は、複数のトレーを有し、トレーに、各々のシート、特にたとえば種々のシートまたは様々な判型のシートのスタックが挿入されるまたは少なくとも挿入可能である。フィーダ０１は、たとえば吸着ヘッド４１を用いて、積まれたシートを個別化し、これらのシートを、互いに分離された連続するシートまたはずれ重ねられたシート流の形で、特定の生産における次の加工ステーション０２；０３；０４；０６に供給する。次の加工ステーション０２；０３；０４は、たとえばプライマ塗布装置０２として、またはコールドフォイル塗布装置０３として、またはオフセット印刷装置０４として、またはフレキソ印刷装置０４として構成されている。次の加工ステーション０６は、ダイレクト方式の、たとえば少なくとも１つのノンインパクト印刷装置０６であってもよい。オフセット印刷装置０４は、好適には、枚葉オフセット印刷機として構成されており、特に複数の印刷部８６を有するタンデム型の枚葉印刷機として構成されている。オフセット印刷装置０４は、シートに、少なくとも１つの静的な、つまり印刷プロセス中に、使用される刷版に関する制限に基づいて不変の印刷像を与える一方、ノンインパクト印刷装置０６は、シートに、内容的に変化するまたは少なくとも可変の少なくとも１つの印刷像を与える。
【００２６】
フィーダ０１の次の加工ステーション０３がコールドフォイル塗布装置０３である場合、シートは、これに続いてそこから、通常は、オフセット印刷装置０４として構成された加工ステーション０４へ搬送される。コールドフォイル塗布装置０３において、支持箔から剥がされた金属化ラッカ層が被印刷物に転写される。たとえばオフセット印刷装置０４によるこのラッカ層の重ね印刷により、様々な金属効果を得ることができる。コールドフォイル塗布装置０３は、好適には、たとえば、２つの追加的な印刷部８７；８８がオフセット印刷装置０４に設けられていることにより、オフセット印刷装置０４に組み込まれて構成されている。被印刷物の搬送方向Ｔで第１の印刷部８７において、標準型の刷版を用いて、特殊な接着剤が、被印刷物に、つまり各々のシートに塗布される。被印刷物の搬送方向Ｔで第２の印刷部８８に、転写されるべきラッカ層を有する箔転写装置が装着されている。ラッカ層を支持する箔は、繰出しステーションから、ブランケット胴と、このブランケット胴と協働する圧胴との間の印刷ニップ内へ案内され、被印刷物と接触させられる。ラッカ層において、アルミニウム層および保護ラッカ層が色付けされており、その着色が、色の印象に影響を及ぼす。印刷が成された接着剤層との付着層の付着性により、転写層が、基材上に付着したままとなる。支持箔は、これに続いて再び巻き取られる。コールドフォイル転写の後で、インラインで、特にオフセット印刷装置０４において、従来慣用の、たとえば水性の印刷インキおよびＵＶインキならびにハイブリッドインキによる重ね印刷が可能であり、これにより、様々な金属色相が形成される。
【００２７】
たとえば特に吸収性のかつ／またはノンインパクト印刷装置０６による印刷のために用意されるべき被印刷物は、フィーダ０１から、たとえばプライマ塗布装置０２として構成された次の加工ステーション０２に供給され、これにより、この被印刷物の少なくとも１つの表面が印刷または塗工前にたとえば水性のプライマにより被覆され、特に封止される。プライマは、被印刷物の下塗りまたは第１被覆を成し、これにより、特にその後で被印刷物に塗布されるべき印刷インキまたはインキの付着が改善されるまたははじめて実現される。そのために、たとえばホワイトラッカが被印刷物に塗布される。プライマ塗布装置０２は、たとえば輪転印刷機の印刷部８６に関連して構成されていて、たとえば圧胴１１９と協働する印刷部胴８２であって、この印刷部胴８２に胴入れされるまたは少なくとも胴入れ可能な、好適にはアニロックスローラ８３の態様をしたインキ着けローラ８３を有する、印刷部胴８２と、インキ着けローラ８３の軸方向に延在する少なくとも１つのドクタ８４、特にチャンバ方式ドクタシステム８４（図３〜図５、図８、図９）とを有する。プライマは、プライマ塗布装置０２により、全面に、または特定の、つまり予め規定された箇所でのみ、つまり部分的に、被印刷物に塗布される。プライマ塗布装置０２において加工された被印刷物、たとえばシートは、次の加工ステーションに、たとえばオフセット印刷装置０４および／またはたとえばノンインパクト印刷装置０６に供給される。
【００２８】
たとえばフレキソ印刷装置０４として構成された加工ステーション０４により行われるフレキソ印刷は、ダイレクト方式の版印刷法であり、フレキソ印刷では、刷版の隆起した箇所が像を有する。フレキソ印刷は、多くの場合、紙、厚紙ならびに板紙から、または金属化箔から、またはたとえばＰＥ、ＰＥＴ、ＰＶＣ、ＰＳ、ＰＰ、ＰＣなどのプラスチックから成る包装手段に印刷を行うために使用される。フレキソ印刷では、低粘度印刷インキと、フォトポリマーまたはゴムから成る柔軟な印刷版とが使用される。一般的に、フレキソ印刷装置０４は、ａ）アニロックスローラ（アニロックスローラを介して刷版が着肉される）と、ｂ）版胴とも称される印刷胴（印刷胴上に刷版が取り付けられている）と、ｃ）対応圧胴（対応圧胴は被印刷物を案内する）とを有する。
【００２９】
フレキソ印刷装置０４またはオフセット印刷装置０４として構成された、シートにそれぞれ少なくとも１つの静的な印刷像による印刷を行う加工ステーション０４は、好適にはそれぞれ複数の、たとえば少なくとも４つの印刷部８６を有し、この場合、各々の印刷部８６は、好適には１つの別の印刷インキを用いて印刷するので、被印刷物に、これがフレキソ印刷装置０４またはオフセット印刷装置０４を通走する際にそれぞれ多色で、たとえば４色刷りで印刷が行われる。印刷インキとして、特にイエロー、マゼンタ、シアンおよび墨の色相が使用される。フレキソ印刷法またはオフセット印刷法に対して択一的な印刷装置０４の態様では、シートにそれぞれ少なくとも１つの静的な印刷像による印刷を行う加工ステーション０４は、スクリーン印刷法で印刷を行う印刷装置０４として構成されている。
【００３０】
少なくとも１つのノンインパクト印刷装置０６において被印刷物を加工した後で、この被印刷物は、たとえば乾燥機０７として、特に中間乾燥機０７として構成された加工ステーション０７に供給され、この場合、この中間乾燥機０７は、該当する被印刷物をたとえば熱風によりかつ／または赤外放射もしくは紫外放射による照射により乾燥するように構成されており、この場合、紫外放射により乾燥する乾燥機は、たとえばＬＥＤ乾燥機として構成されており、この場合、放射の種類は、特に、被印刷物に塗布された印刷インキまたはインキが水性であるかまたはＵＶ硬化性であるかに依存している。中間乾燥の後で、被印刷物は、たとえば塗工装置０８として構成された加工ステーション０８に供給される。この塗工装置０８は、被印刷物に、好適にはたとえば透明のまたは白色のまたは色付きの分散ラッカを塗布し、この場合、分散ラッカは、主に水と結合剤（樹脂）とから成り、この場合、界面活性剤が、この分散を安定させる。分散ラッカを被印刷物に塗布する塗工装置０８は、アニロックスローラとチャンバ方式ドクタとインキ着けローラとから成る（フレキソ印刷部に対応する）、またはインキ出しローラとインキ着けローラとから成る。好適には光重合に基づく刷版により、被印刷物に、たとえば面状のかつ／または部分的な塗料が塗布される。全面の塗装に対してはゴムから成る特殊なラッカプレートを使用することも可能である。被印刷物の搬送経路において、塗工装置０８の後方に、たとえば乾燥機０９として構成された加工ステーション０９が配置されており、この場合、この乾燥機０９は、該当する被印刷物を熱風によりかつ／または赤外放射もしくは紫外放射による照射により乾燥するように構成されており、この場合、紫外放射により乾燥する乾燥機は、たとえばＬＥＤ乾燥機として構成されている。該当する機械構造物が被印刷物の搬送経路に沿って複数の乾燥機０７；０９を有する場合、符号０９を有する乾燥機は、好適には、これらの複数の乾燥機０７；０９のうちの、被印刷物の搬送方向Ｔで最後の乾燥機であり、この場合、１つまたは複数の中間乾燥機０７と（最終）乾燥機０９とは、同一の構造を有するまたはそれぞれ異なって構成されていてもよい。乾燥機０９に、紫外放射により乾燥される被印刷物が供給される、つまりＵＶ放射硬化性の印刷インキもしくはインキまたはＵＶ放射硬化性のラッカ、たとえば光沢ラッカが塗布されている被印刷物が供給される場合、この乾燥機０９は、紫外放射を生成する放射源を備えている。分散ラッカにより、従来のオイルプリント用のラッカと比べてより強いグロスおよびマット効果を得ることができる。特殊な視覚効果を、ラッカにおける効果顔料により達成することができる。プライマ塗布装置０２、コールドフォイル塗布装置０３および塗工装置０８を用語「被覆装置０２；０３；０８」にまとめることができる。
【００３１】
被印刷物の搬送経路に沿って最後の乾燥の後で、被印刷物は、被印刷物にたとえば打抜き、クリージングおよび／または部分の分離、特に好適には印刷が行われたシートにおける部分のその都度の結合体からの割付（利用）部分の取出しによる機械的な後続処理を行うたとえば加工ステーション１１に供給される。前述の後続処理の各々は、加工部４６においてまたは加工部４６によりそれぞれ行われる。機械的な後続処理は、好適には、各々のシートを搬送する胴と協働して行われる。被印刷物の搬送経路において最後の乾燥機０９の後でまたは乾燥機の直後に、被印刷物は、図１に示された、それぞれ加工ステーション０１；０２；０３；０４；０６；０７；０８；０９；１１；１２の特定の構造物により具体的に形成された各々の生産ラインにおいてそれぞれ最後の加工ステーション１２を形成するデリバリ１２に至る。デリバリ１２において、それまでに加工されたシートは、たとえばパレット上に好適には積み重ねられる。
【００３２】
図２〜図８に示されているように、これまで記述された、各々の機械構造物に配置された加工ステーション０１；０２；０３；０４；０６；０７；０８；０９；１１；１２の順序は、例示的なものでしかなく、その都度の製造されるべき印刷製品に依存して変更可能である。
【００３３】
図１に例示された、特に包装手段の生産に使用される生産ラインは、それぞれ前述の多数の加工ステーション０１；０２；０３；０４；０６；０７；０８；０９；１１；１２から選択される機械構造物を有する。たとえば以下の生産ラインが形成されるまたは少なくとも形成可能である。
１．シートフィーダ０１；プライマ塗布装置０２；ノンインパクト印刷装置０６；分散ラッカに対するＩＲ放射源を用いる中間乾燥機０７；塗工装置０８；ＩＲ放射源および／または熱風を用いる乾燥機０９；デリバリ１２
２．シートフィーダ０１；プライマ塗布装置０２；ノンインパクト印刷装置０６；ＩＲ放射源および／または熱風を用いる乾燥機０９；デリバリ１２
３．シートフィーダ０１；プライマ塗布装置０２；ノンインパクト印刷装置０６；ＩＲ放射源を用いる中間乾燥機０７；分散ラッカおよびＵＶ硬化性ラッカを用いる塗工装置０８；熱風および／またはＩＲ放射源もしくはＵＶ放射源を用いる乾燥機０９；デリバリ１２
４．シートフィーダ０１；コールドフォイル塗布装置０３；オフセット印刷装置０４；ノンインパクト印刷装置０６；ＩＲ放射源および／または熱風を用いる乾燥機０９；デリバリ１２
５．シートフィーダ０１；プライマ塗布装置０２；ノンインパクト印刷装置０６；分散ラッカに対するＩＲ放射源を用いる中間乾燥機０７；塗工装置０８；熱風および／またはＩＲ放射源を用いる乾燥機０９；機械的な後続処理装置１１；デリバリ１２
６．シートフィーダ０１；オフセット印刷装置０４；ノンインパクト印刷装置０６；ＩＲ放射源を用いる中間乾燥機０７；機械的な後続処理装置１１；デリバリ１２
７．シートフィーダ０１；ノンインパクト印刷装置０６；ＩＲ熱風および／またはＩＲ放射源を用いる乾燥機０９；デリバリ１２
８．シートフィーダ０１；ノンインパクト印刷装置０６；ＵＶ放射源を用いる中間乾燥機０７；ＵＶ放射源を用いる乾燥機０９；デリバリ１２
９．シートフィーダ０１；ノンインパクト印刷装置０６；ＵＶ放射源を用いる中間乾燥機０７；ＵＶ放射源を用いる乾燥機０９；機械的な後続処理装置１１；デリバリ１２
１０．シートフィーダ０１；ノンインパクト印刷装置０６；ＩＲ放射源を用いる中間乾燥機０７；オフセット印刷装置０４；塗工装置０８；熱風および／またはＩＲ放射源を用いる乾燥機０９；デリバリ１２
１１．マガジンフィーダ０１；プライマ塗布装置０２；ノンインパクト印刷装置０６；ＩＲ放射源を用いる中間乾燥機０７；塗工装置０８；熱風および／またはＩＲ放射源を用いる乾燥機０９；デリバリ１２
１２．マガジンフィーダ０１；プライマ塗布装置０２；ノンインパクト印刷装置０６；ＩＲ放射源を用いる中間乾燥機０７；熱風および／またはＩＲ放射源を用いる乾燥機０９；機械的な後続処理装置１１；デリバリ１２
１３．マガジンフィーダ０１；ノンインパクト印刷装置０６；ＵＶ放射源を用いる中間乾燥機０７；塗工装置０８；ＵＶ放射源を用いる乾燥機０９；デリバリ１２。
【００３４】
この場合、シートの加工に関与する、少なくとも１つのノンインパクト印刷装置０６と協働する加工ステーション０１；０２；０３；０４；０７；０８；０９；１１；１２のうちの少なくとも１つの加工ステーションは、特にノンインパクト印刷装置０６により各々のシートに塗布されるべき印刷インキが、水性の印刷インキもしくはインキとして構成されているのか、または紫外放射硬化性の印刷インキもしくはインキとして構成されているのかに依存してそれぞれ選択されている。これにより、各々の機械構造物は、シートにそれぞれ水性の印刷インキにより、または紫外放射硬化性の印刷インキにより印刷が行われるように構成されている。
【００３５】
ここで例示的に挙げられた好適な機械構造物は、シートを加工する複数の加工ステーションを有し、この場合、シートの搬送方向Ｔで複数の加工ステーション０１；０２；０３；０４；０６；０７；０８；０９；１１；１２がこれらのシートをインラインで加工するために相前後して配置されており、この場合、これらの加工ステーションのうちの少なくとも１つの加工ステーション０６は、ノンインパクト印刷装置０６として構成されており、この場合、シートの搬送方向Ｔでノンインパクト印刷装置０６に前置された第１の加工ステーション０１は、シートフィーダ０１またはマガジンフィーダ０１として構成されており、この場合、第１の加工ステーション０１とノンインパクト印刷装置０６との間に配置された加工ステーション０８は、それぞれラッカをシートに塗布する第１の被覆装置０８として構成されており、この場合、第１の被覆装置０８とノンインパクト印刷装置０６との間に第１の乾燥機０７が配置されており、この場合、少なくとも１つの搬送胴３９を有する第１の搬送胴構造物が、シートを第１の乾燥機０７からノンインパクト印刷装置０６へ搬送するように配置されており、この場合、シートの搬送方向Ｔでノンインパクト印刷装置０６の後方に第２の乾燥機０７が配置されており、この場合、ノンインパクト印刷装置０６から到来するシートを第２の被覆装置０８へ引き渡す装置が設けられており、この場合、第２の被覆装置０８に第３の乾燥機０９が後置されており、この場合、シートの搬送方向Ｔで第３の乾燥機０９の後方にシートに対するデリバリ１２が配置されている。この場合、第３の乾燥機０９とデリバリ１２との間に、追加的にさらに機械的な後続処理装置１１が配置されてもよい。さらにシートの搬送方向Ｔでノンインパクト印刷装置０６の手前に、たとえばコールドフォイルを塗布する被覆装置０３が配置されている。ノンインパクト印刷装置０６は、シートの搬送経路に沿って、好適には複数のそれぞれ個別に制御されるインクジェットプリンタを有する。ノンインパクト印刷装置０６の作用領域において、シートは、好適にはそれぞれ搬送装置に平らに載るように案内され、この場合、搬送装置は、シートに対するノンインパクト印刷装置０６の少なくとも作用領域において、それぞれカーブした搬送経路を有し、この場合、搬送装置は、ノンインパクト印刷装置０６の作用領域で、複数倍胴の大きさの印刷胴２２として構成されている。シートの搬送方向Ｔで、ノンインパクト印刷装置０６の手前に、たとえば引渡し装置が配置されており、この場合、引渡し装置は、シートを、たとえばそれぞれ少なくとも軸方向（左右）見当および／または周方向（天地）見当で、ノンインパクト印刷装置０６の印刷位置に対して相対的に見当を保持するように位置合わせされており、この場合、引渡し装置は、たとえば各々のシートを、吸込空気を用いて保持する吸着ドラムを有する。この機械構造物は、シートに、特にそれぞれ水性の印刷インキによりまたは紫外放射硬化性の印刷インキにより印刷を行うように構成されている。この機械構造物は、特に様々な包装手段を生産するように構成されている。ノンインパクト印刷装置０６から到来するシートを第２の被覆装置０８へ引き渡す装置は、たとえば少なくとも１つの搬送胴３９を有する第２の搬送胴構造物として構成されている。
【００３６】
図２は、前述の生産ライン番号６による複数の加工ステーション０１；０２；０３；０４；０６；０７；０８；０９；１１；１２を有する機械構造物を例示している。シートは、シートフィーダ０１において、たとえば吸着ヘッド４１により個別にスタックから取り上げられ、たとえば、たとえば１時間あたり１００００枚のサイクルで相前後してたとえば一列に配置された４つの印刷部８６を有するオフセット印刷装置０４へ引き渡される。一列に配置された印刷部８６のうちの１つの印刷部から次の印刷部へシートを引き渡すために、それぞれ回転体、特に胴、好適には渡しドラム４３が設けられており、渡しドラム４３は、それぞれ直に隣り合う２つの印刷部８６の間に配置されている。オフセット印刷装置０４は、シートフィーダ０１からオフセット印刷装置０４に供給されたシートを、たとえばスインググリッパ１３を用いて受け取り、シートを、オフセット印刷装置０４の、たとえば単倍胴の大きさに構成された、つまりその周においてそれぞれ専ら単一の基材を搬送する第１の引渡しドラム１４へ導き、この場合、シートは、続いてオフセット印刷装置０４において、グリッパ開閉部で１つの印刷部８６から次の印刷部８６へ案内される。オフセット印刷装置０４において、シートに、少なくとも片面で印刷が行われる。複数の印刷装置０４の間に配置される反転装置２３が存在する場合、オフセット印刷装置０４において、シートに、両面で、つまり両面印刷で印刷が行われてもよい。ここではたとえばオフセット印刷装置０４として構成された加工ステーション０４を通走した後で、好適には４色刷りで印刷が行われた該当するシートは、第１の搬送胴構造物により少なくとも１つのノンインパクト印刷装置０６へ引き渡される。ノンインパクト印刷装置０６は、好適には、線形に一列に配置された、特にそれぞれ個別に制御される複数の、たとえば５つのインクジェットプリンタを有し、インクジェットプリンタは、たとえばシアン、マゼンタ、イエローおよび／または墨の印刷インキならびに好適には追加的にたとえばオレンジおよび／またはグリーンおよび／またはバイオレットなどのカスタマイズされた少なくとも１つの印刷インキで印刷を行う。その後で、オフセット印刷装置０４において少なくとも１つの静的な印刷像を有し、ノンインパクト印刷装置０６において少なくとも１つの、変化するまたは少なくとも変更可能な印刷像を有するシートの乾燥が、乾燥機０７または中間乾燥機０７において、好適には熱風を用いてかつ／またはＩＲ放射源を用いて行われる。同様にその後で、シートは、機械的な後続処理装置１１において、たとえば打抜きおよび／またはクリージングおよび／または各々のシートからの割付部分の取出しにより後続加工される。最終的に、シートおよび／または各々のシートから離脱された割付部分が、デリバリ１２において集められ、特に積み重ねられる。第１のグリッパシステム１６または第１のチェンコンベヤ１６の作用領域において、それぞれ、シートに対して設定された搬送経路に沿って、デリバリ１２、特にマルチスタックデリバリが設けられてよい。同様に、シートの搬送方向Ｔで、たとえば機械的な後続処理装置１１の後方に、マルチスタックデリバリが配置されている。図２から看取されるように、機械構造物においてシートの搬送方向Ｔでシートフィーダ０１の後方からデリバリ１２にまでに設けられた各々の加工ステーション０２；０３；０４；０６；０７；０８；０９；１１は、それぞれ少なくとも１つの搬送胴３９またはその他のシートを案内する胴２２；３８；４３；４４を有し、この場合、該当する搬送胴３９またはその他のシートを案内する胴２２；３８；４３；４４は、それぞれ複数倍胴の大きさに、好適には少なくとも２倍胴の大きさに構成されている。図２〜図１３に示されているように、ノンインパクト印刷装置０６を有する加工ステーション０６に配置された少なくとも１つの印刷胴２２；３８は、少なくとも３倍胴の大きさに、好適には４倍胴の大きさに構成されている。被覆装置０２；０８、つまり特にプライマ塗布装置０２および／または塗工装置０８は、シート搬送のためにそれぞれ好適には２倍胴の大きさの搬送胴０９またはその他のシートを案内する胴４３；４４を有する。機械構造物において、ノンインパクト印刷装置０６を有する少なくとも１つの加工ステーション０６に配置された該当する印刷胴２２；３８を除いて、残りの全ての搬送胴３９またはその他のシートを案内する胴４３；４４は、たとえば単倍胴の大きさに、特に２倍胴の大きさに構成されている。
【００３７】
フィーダ０１、特にシートフィーダ０１においてスタックから取り上げられたシートは、互いに間隔を置いて個別に、たとえば、たとえばオフセット印刷装置０４として構成された、ノンインパクト印刷装置０６に前置された加工ステーション０２；０３；０４を通って第１の搬送速度で搬送される。ノンインパクト印刷装置０６に前置された、たとえばオフセット印刷装置０４として構成された加工ステーション０２；０３；４０からノンインパクト印刷装置０６へ引き渡されるシートは、このノンインパクト印刷装置０６において、第２の搬送速度で搬送され、この場合、ノンインパクト印刷装置０６において有効な第２の搬送速度は、通常は、たとえばオフセット印刷装置０４において有効な第１の搬送速度よりも低い。通常はより低いノンインパクト印刷装置０６において有効な第２の搬送速度に対して、たとえばオフセット印刷装置０４において有効な第１の搬送速度を適合させるために、たとえば、直接に連続するシートの間に生じるシート隙間、つまりたとえばグリッパ開閉部でたとえばオフセット印刷装置０４を通って搬送されるシートに関するグリッパ溝幅に基づいて生じる間隔は、たとえばオフセット印刷装置０４からノンインパクト印刷装置０６へシートを引き渡す際に好適には低減され、この場合、シートの元々の間隔に対するそのような間隔の減少は、たとえば１％〜９８％の範囲にある。これにより、直接に連続するシートは、ノンインパクト印刷装置０６においても、互いに間隔を置いて搬送されるが、しかし通常は、たとえばオフセット印刷装置０４における間隔に対してより小さなシート隙間を置いて、またはより小さな間隔を置いて搬送され、したがってより低い第２の搬送速度でも搬送される。この第２の搬送速度は、好適には、ノンインパクト印刷装置０６において印刷が行われたシートが、まずは中間乾燥機０７または乾燥機０９へ搬送され、そこからたとえばフィーダボードを用いて、機械的な後続処理装置１１へ、さらにデリバリ１２にまで搬送されるときに維持される。しかし、シートは、その第２の搬送速度から第３の搬送速度へ、これをノンインパクト印刷装置０６に後置された、たとえば機械的な後続処理装置１１として構成された加工ステーション０８；０９が要求するときにもたらされてもよく、この場合、第３の搬送速度は、通常は、第２の搬送速度より高く、たとえば再び特にオフセット印刷装置０４において有効な第１の搬送速度に相当する。機械的な後続処理装置１１の手前に、たとえば第２の搬送胴構造物が設けられており、第２の搬送胴構造物は、中間乾燥機０７または乾燥機０９から到来するシートをつかみ取り、機械的な後続処理装置１１へ搬送する。一連のたとえば複数の加工部４６を有する機械的な後続処理装置１１の領域においても、一列に配置された複数の加工部４６のうちの１つの加工部から次の加工部へシートを引き渡すために、それぞれ回転体、特に胴、好適には渡しドラム４４が設けられており、渡しドラム４４は、それぞれ２つの隣り合う加工部４６の間に配置されている。これらの加工部４６のうちの１つの加工部は、たとえば打抜き部として、特に回転打抜き部として、別の１つの加工部４６は、たとえばクリージング部として構成されている。該当する加工部４６は、好適には、各々のシートを搬送する胴と協働してシートの機械的な後続処理を行うように構成されている。シートの機械的な後続処理の後で、シートおよび／またはシートから取り出された割付部分は、たとえば第２のチェンコンベヤ２１を用いて、デリバリ１２へ搬送され、そこで集められ、好適には積み重ねられる。
【００３８】
シートは、たとえばオフセット印刷装置０４として構成された、ノンインパクト印刷装置０６に前置された加工ステーション０２；０３；０４の終端部から、少なくとも中間乾燥機０７または乾燥機０９の終端部にまで、好適には、ノンインパクト印刷装置０６に後置された、たとえば機械的な後続処理装置１１として構成された加工ステーション０８；０９；１１の始端部にまで、それぞれ、複数部分から成る、つまりシートの搬送方向Ｔで相前後して配置された複数の構成群、特に搬送ユニットから成る搬送装置を用いて搬送され、その際、搬送装置は、好適には複数の、複数倍胴の大きさの搬送胴３９を有する。必要な場合、オフセット印刷装置０４とノンインパクト印刷装置０６との間にも中間乾燥機０７または乾燥機０９が配置されてもよい。
【００３９】
図２からさらに看取されるように、たとえば印刷胴２２、またはプライマ塗布装置０２、塗工装置０８もしくは乾燥機０７の各々の胴、および複数の加工胴のうちの１つの加工胴に基材の搬送方向Ｔで直後にまたは直前に配置された搬送胴などの加工胴の各々の回転軸線は、鉛直方向にずらして配置されている。そのようにすると、加工胴の回転軸線と直後に配置された搬送胴または渡しドラムの回転軸線とを通って延在する直線は、水平線に対して鋭角α１を形成し、かつ／または加工胴の回転軸線と直前に配置された搬送胴または渡しドラムの回転軸線とを通って延在する直線は、水平線に対して、鋭角α２を形成し、鋭角は、１５°〜３０°、好適には２０°〜２５°、特に２２．５°であり、この場合、水平線は、それぞれたとえば該当する搬送胴の回転軸線または該当する渡しドラムの回転軸線を通って延在する。後置された搬送胴または後置された渡しドラムに対して方向付けられた角度α１は、たとえば前置された搬送胴に対して向けられた角度α２の１倍〜２倍、好適には１．３倍〜１．７倍の範囲にあり、特にこの角度α１は、前置された搬送胴に対して方向付けられた角度α２の１．５倍である。
【００４０】
図３〜図８には、それぞれ複数の加工ステーション０１；０２；０３；０４；０６；０７；０８；０９；１１；１２を有する別の機械構造物が例示されるとともに略示されており、この場合、各々の符号は、前述の加工ステーション０１；０２；０３；０４；０６；０７；０８；０９；１１；１２および加工ステーションのそれぞれ別の機器を示している。
【００４１】
図３には、被印刷物の搬送方向Ｔで相前後して配置された以下の加工ステーション０１；０２；０３；０４；０６；０７；０８；０９；１１；１２を有する機械構造物が示されている：シートフィーダ０１；プライマ塗布装置０２または塗工装置０８；中間乾燥機０７；ノンインパクト印刷装置０６；中間乾燥機０７；塗工装置０８；乾燥機０９；デリバリ１２。
【００４２】
図４には、被印刷物の搬送方向Ｔで相前後して配置された以下の加工ステーション０１；０２；０３；０４；０６；０７；０８；０９；１１；１２を有する機械構造物が示されている：シートフィーダ０１；プライマ塗布装置０２；中間乾燥機０７；ノンインパクト印刷装置０６；乾燥機０９；デリバリ１２。
【００４３】
図５には、被印刷物の搬送方向Ｔで相前後して配置された以下の加工ステーション０１；０２；０３；０４；０６；０７；０８；０９；１１；１２を有する機械構造物が示されている：シートフィーダ０１；プライマ塗布装置０２；中間乾燥機０７；ノンインパクト印刷装置０６；中間乾燥機０７；塗工装置０８；中間乾燥機０７；塗工装置０８；乾燥機０９；デリバリ１２。
【００４４】
図６には、被印刷物の搬送方向Ｔで相前後して配置された以下の加工ステーション０１；０２；０３；０４；０６；０７；０８；０９；１１；１２を有する機械構造物が示されている：シートフィーダ０１；第１のオフセット印刷装置０４；コールドフォイル塗布装置０３；タンデム型の別の４つのオフセット印刷装置０４；中間乾燥機０７；ノンインパクト印刷装置０６；中間乾燥機０７；ノンインパクト印刷装置０６；乾燥機０９；デリバリ１２。
【００４５】
図７には、その長さに基づいてずらして示された、被印刷物の搬送方向Ｔで相前後して配置された以下の加工ステーション０１；０２；０３；０４；０６；０７；０８；０９；１１；１２を有する機械構造物が示されている：シートフィーダ０１；第１のオフセット印刷装置０４；コールドフォイル塗布装置０３；タンデム型の別の４つのオフセット印刷装置０４；中間乾燥機０７；ノンインパクト印刷装置０６；中間乾燥機０７；塗工装置０８；乾燥機０９；タンデム型の２つの機械的な後続処理装置１１；デリバリ１２。
【００４６】
図８には、被印刷物の搬送方向Ｔで相前後して配置された以下の加工ステーション０１；０２；０３；０４；０６；０７；０８；０９；１１；１２を有する機械構造物が示されている：マガジンフィーダ０１；プライマ塗布装置０２；中間乾燥機０７；ノンインパクト印刷装置０６；中間乾燥機０７；塗工装置０８；乾燥機０９；デリバリ１２。
【００４７】
前述のように、シートを加工するためのそれぞれ複数の加工ステーション０１；０２；０３；０４；０６；０７；０８；０９；１１；１２と、これらのシートを搬送するために少なくとも１つの搬送装置とを有する前述の機械構造物により、様々な判型の、つまり様々な長さおよび／または幅のシートを加工することが設定されている。したがって、通常は、矩形のシートは、たとえばそれぞれの長さが異なっており、この場合、これらの長さは、その都度のこれらのシートの搬送方向Ｔで延在する長さである。複数のシートが連続的に供給される、特にノンインパクト印刷装置０６として構成された加工ステーション０２；０３；０４；０６；０７；０８；０９；１１；１２を使用する場合に、比較的短いシート、つまりこの機械構造物において加工される、他の場合ではより大きな判型のシートに対してより小さな判型のシートにおいて、その都度の機械構造物の生産性が低下しないようにするために、以下の方法ステップを有する方法が提案される。
【００４８】
複数のシートを加工ステーション０２；０３；０４；０６；０７；０８；０９；１１；１２に連続的に供給する搬送装置を運転する方法において、同一の加工ステーション０２；０３；０４；０６；０７；０８；０９；１１；１２により加工するために、それぞれシートの搬送方向Ｔで延在する様々な長さのシートが使用され、その際、加工ステーション０２；０３；０４；０６；０７；０８；０９；１１；１２に相前後して供給されるべきシートは、搬送装置により、それぞれ所定の間隔を置いて搬送され、その際、搬送装置は、搬送されるべきシートにそれぞれ所定の搬送速度を形成し、その際、それぞれこれらのシートの搬送方向Ｔで延在する様々な長さのシートにおける、直接に連続するシートの間に生じる間隔は、搬送装置により該当するシートに形成されるべき搬送速度の変化により一定に保持され、その際、搬送方向Ｔで後続するシートの搬送速度は、直前に先行するシートの搬送速度に対して変化される。この場合、該当する加工ステーション０２；０３；０４；０６；０７；０８；０９；１１；１２に相前後して供給されるべきシートは、加工ステーション０２；０３；０４；０６；０７；０８；０９；１１；１２により形成されるべき高い生産性に達するかつ／または生産性を保持するために、搬送装置により、それぞれ好適には、最小であるが通常はゼロとは異なる間隔を置いて搬送される。搬送方向Ｔで連続するシートの間の間隔、つまり先行するシートの、搬送方向Ｔに対して横向きに延在する後縁と、直後に後続するシートの、搬送方向Ｔに対して横向きに延在する前縁との間の間隔は、たとえば０．５ｍｍ〜５０ｍｍの範囲、好適には１０ｍｍ未満である。該当する加工ステーション０２；０３；０４；０６；０７；０８；０９；１１；１２においてより大きな長さのシートの後でより小さな長さのシートを加工したいときには、より小さい長さのシートは、搬送装置により、その搬送速度の増加によって加速される。これとは逆に、該当する加工ステーション０２；０３；０４；０６；０７；０８；０９；１１；１２においてより小さな長さのシートの後でより大きな長さのシートを加工したいときには、より大きな長さのシートは、搬送装置により、その搬送速度の低下によって減速される。加工ステーション０２；０３；０４；０６；０７；０８；０９；１１；１２として、好適には、ノンインパクト印刷装置０６が使用され、その生産性は、通常は、ノンインパクト印刷装置０６に、ノンインパクト印刷装置０６による印刷が行われるべきシートがその都度の判型にかかわらず一定の最小間隔で連続して供給されるときに最大である。該当する機械構造物において、ノンインパクト印刷装置０６にたとえばオフセット印刷装置０４として構成された加工ステーション０４が前置されている場合、オフセット印刷装置０４において印刷が行われたシートは、その都度の判型に依存せずに、このオフセット印刷装置０４の生産速度に相当する搬送速度で搬送装置に供給され、この場合、オフセット印刷装置０４によりこれらのシートに設定された搬送速度は、搬送装置によるシートの搬送中に、ノンインパクト印刷装置０６の処理速度に相当する搬送速度に適合させることができる。これらのシートをその都度の判型にかかわらず、追加的に、依然としてその都度一定の相互間隔でノンインパクト印刷装置０６に供給しようとすると、より大きな長さのシートは、より短いシートよりも減速されないが、いずれにせよシートのその都度の搬送速度の低下が必要になる。というのもノンインパクト印刷装置０６の処理速度が、通常は、オフセット印刷装置０４の生産速度よりも低いからである。
【００４９】
各々のシートは、その都度シートの搬送方向Ｔで相前後して複数の搬送胴を有する搬送装置による、次の加工ステーション０１；０２；０３；０４；０６；０７；０８；０９；１１；１２へのかつ／またはそれぞれモジュールとして構成されたこれらの加工ステーション０１；０２；０３；０４；０６；０７；０８；０９；１１；１２内でもその搬送中に、好適にはそれぞれ力結合により（つまり力が伝達されるように）かつ／または形状結合に基づき、保持手段により、たとえば吸込空気によりかつ／またはグリッパにより保持される。
【００５０】
好適な態様では、該当するシートに形成されるべき搬送速度は、たとえば機械構造物のガイドスタンドに配置された、好適には電子的な制御ユニットにより調整され、この場合、制御ユニットは、搬送速度の調整を、特に連続するシートの間に一定の間隔を維持するために、たとえば制御回路において行う。たとえば、機械的な後続処理装置１１に供給されるべきシートが、スインググリッパ１９とたとえば単倍胴の大きさに構成された引渡しドラム３１とにより、第２の搬送速度から第３の搬送速度にされるようにしてもよく、これは、該当するシートが、特に制御ユニットにより制御される、引渡しドラム３１の回転により加速されることを意味している。
【００５１】
図９は、複数の加工ステーション０１；０２；０３；０４；０６；０７；０８；０９；１１；１２を有する機械構造物を例示しており、この場合、加工ステーション０１；０２；０３；０４；０６；０７；０８；０９；１１；１２は、基材の搬送方向Ｔで相前後して配置されている。相並んで位置する加工ステーション０１；０２；０３；０４；０６；０７；０８；０９；１１；１２は、それぞれ独自の機能性を有するモジュールとして構成されており、この場合、各モジュールは、それぞれ独自のフレーム内で組み立てられた機械ユニットを形成する。図示の態様では、被覆装置０２；０３；０８（つまりプライマ塗布装置０２、コールドフォイル塗布装置０３または塗工装置０８）として、または乾燥機０７；０９として、または印刷装置０４；０６として、または機械的な後続処理装置１１として構成されたモジュールが、それぞれ１つの基材ガイドユニット２４と基材加工ユニット２６とを有する。基材ガイドユニット２４は、基材を搬送するために、たとえば、１つまたは複数の搬送胴３９または１つまたは複数の渡しドラム４３；４４を有する搬送胴構造物を具備し、この場合、搬送胴３９または渡しドラム４３；４４は、複数倍胴の大きさに、好適には２倍胴または３倍胴の大きさに構成されている。基材加工ユニット２６は、各々の加工ステーション０１；０２；０３；０４；０６；０７；０８；０９；１１；１２の態様に応じて、たとえば実際の被覆装置０２；０３；０８、または乾燥機０７；０９、または印刷装置０４；０６の少なくとも１つの印刷部８６；８７；８８、または機械的な後続処理装置１１の少なくとも１つの加工部４６を有する。基材ガイドユニット２４および基材加工ユニット２６は、接合箇所に、それぞれ略水平の接合面を有し、いわゆる下部構造モジュール２４および上部構造モジュール２６を形成する。
【００５２】
図９に示された機械構造物は、両面印刷用の機械構造物であり、シートフィーダ０１またはマガジンフィーダ０１として構成された、積み重ねられた基材を順次たとえば吸着ヘッド４１を用いて把持するフィーダ０１と、後置の、引渡しドラム１４を有するスインググリッパ１３とを起点として、基材（シート）の搬送方向Ｔで相前後して、特に第１のプライマ塗布装置０２の態様をした被覆装置０２；０３；０８と、その後方に第１の乾燥機０７とを有する。このように表面に前処理が成された基材は、次いで、その都度基材の表面に印刷を行う、第１の印刷胴２２を有する第１のノンインパクト印刷装置０６に供給され、この場合、第１の印刷胴２２は、好適には３倍胴また４倍胴の大きさに構成されており、これは、この第１の印刷胴２２が、その周に、少なくとも、その周に前後して３つまたは４つの基材がそれぞれ力結合によりかつ／または形状結合により保持されるように配置されているまたは配置可能である数の保持要素を有することを意味している。通常、印刷胴２２の周に保持されるべき各基材にそれぞれ少なくとも１つの保持手段または保持要素が対応付けられており、その際、それぞれ異なる基材が対応付けられている保持要素は、それぞれ相互に依存せずに、つまり相互に個別に作動可能である。グリッパとして構成された保持要素は、特に、該当する印刷胴２２の外周面において開放された溝に配置されており、この場合、各々の溝は、それぞれ該当する印刷胴２２の外周面において軸方向に延在する。つまり、該当する印刷胴２２の周に沿ってたとえば４つの基材が配置可能である場合、該当する印刷胴２２は、４つの溝を有し、この場合、各溝に、それぞれ少なくとも１つの保持要素が配置されている。１つの溝に、たとえば少なくとも２つの保持要素が配置されてもよく、この場合、これらの保持要素のうちの１つの保持要素は、これらの基材のうちの第１の基材の、基材の搬送方向Ｔで後方の縁部を保持し、これらの保持要素のうちの別の１つの保持要素は、該当する印刷胴２２の周において第１の基材の、基材の搬送方向Ｔで直後に後続する第２の基材の前方の縁部を保持する。第１の印刷胴２２の周の一部に沿って、相前後して好適には複数のインクジェット印刷装置が配置されており、この場合、該当するインクジェット印刷装置のインクジェット吐出開口と、該当する回転する印刷胴２２の外周面に保持された基材の上面との間の半径方向の間隔は、該当するインクジェット印刷装置を基材が通過する際に、好適にはたった数ミリメートル、特にたった約１ｍｍである。好適な態様では、第１のノンインパクト印刷装置０６に、別の基材加工ユニット２６を有しない、純粋な搬送モジュールとして構成された基材ガイドユニット２４が続く。この搬送モジュールも、独自のフレーム内に配置されている。この基材ガイドユニット２４は、この機械構造物において、それ自体がたとえば保守作業および／または修理作業のために第１のノンインパクト印刷装置０６へのアクセスを改善する十分に広い横方向スペースの形成を可能にする。別の態様では、択一的にまたは追加的に、第１のノンインパクト印刷装置０６に、別の基材加工ユニット２６を有しない、純粋な搬送モジュールとして構成された基材ガイドユニット２４が前置されている。機械構造物における、たとえば２倍胴の大きさの２つの搬送胴または渡しドラムを有する搬送モジュールの配置により、印刷胴２２の外周面と、基材の搬送方向Ｔで後続の加工ステーションの、特に２倍胴の大きさに構成された加工胴との間の水平の間隔ａは、少なくともこの加工胴の２倍の直径ｄに相当する（図３）ことが達成される。基材ガイドユニット２４の後方に、基材の、印刷が行われた表面を乾燥する第２の乾燥機０９が配置されている。第２の乾燥機０９にたとえば反転装置２３が続き、反転装置２３は、後続の経路において基材の裏面にも印刷を可能にする。表面印刷について、つまり表面の印刷について前述されたように、基材は、反転装置２３から到来して、まず基材の裏面を処理する第２のプライマ塗布装置０２に供給され、その後で第３の乾燥機０７に供給される。第２の印刷胴３８を有する、各々の基材の裏面に印刷を行う第２のノンインパクト印刷装置３７が続き、この場合、この第２の印刷胴３８は、やはり好適には３倍胴または４倍胴の大きさに構成されており、これは、この第２の印刷胴３８が、その周に前後して３つまたは４つの基材がそれぞれ力結合によりかつ／または形状結合により保持されるように配置されているまたは少なくとも配置可能である数の保持手段または保持要素を有することを意味している。第２の印刷胴３８の周の一部に沿って、つまりその周面において、相前後して好適には複数の、たとえば少なくとも４つのまたは特に６つのインクジェット印刷装置が配置されており、この場合、これらのインクジェット印刷装置は、たとえばシアン、マゼンタ、イエローおよび／または墨の印刷インキ、ならびにたとえばオレンジおよび／またはグリーンおよび／またはバイオレットの少なくとも１つの特殊インキで印刷を行う。反転装置２３は、基材の搬送方向Ｔで、つまり第１のノンインパクト印刷装置０６と第２のノンインパクト印刷装置３７との間に配置されている。第２のノンインパクト印刷装置３７の手前にかつ／または後方にも、前述したものと同じ理由から、好適には、別の基材加工ユニット２６を有しないそれぞれ１つの基材ガイドユニット２４が配置されている。基材の、印刷が行われた裏面を乾燥する第４の乾燥機０９が続く。好適な態様では、その後方に塗工装置０８が設けられている。塗工された基材は、続いて別の乾燥機０９において乾燥され、この場合、この乾燥機０９は、たとえばチェンコンベヤ２１として構成された搬送装置の搬送経路内に配置されており、この場合、この搬送装置は、基材を、デリバリ１２へ、特にマルチスタックデリバリへ搬送し、そこで排出する。図９に例示された機械構造物では、それぞれ１つの搬送胴構造物を有する各々の基材ガイドユニット２４は、両方の印刷胴２２を除いて、好適にはそれぞれ２倍胴の大きさに構成されているので、各々の搬送胴３９または渡しドラム４３；４４の周に、それぞれ２つの基材が前後に配置されているまたは少なくとも配置可能である。乾燥機０７；０９は、たとえば、場合により熱風乾燥機と組み合わせて、ＵＶ乾燥機としてまたはＩＲ乾燥機としてまたはマイクロ波乾燥機として構成されている。ＵＶ乾燥機および／またはＩＲ乾燥機は、たとえばそれぞれＬＥＤ乾燥機として構成されている。マイクロ波乾燥機は、たとえば２〜３００ＧＨｚ、好適には２．４５ＧＨｚ〜２２．３５ＧＨｚの範囲の周波数を有するマイクロ波で作動する。１つの乾燥機において、それぞれ組み合わせて、記載の複数の乾燥方法のうちの少なくとも２つの乾燥方法が用いられるように設定されてもよい。
【００５３】
反転装置２３において、反転は、通常は後縁反転の原理に基づいて行われる。反転装置２３は、たとえば３本ドラム反転部としてまたは１本ドラム反転部として構成されてよい。３本ドラム反転部には、３つの基材ガイド胴が配置されている。この場合、基材の搬送方向Ｔで、たとえば単倍胴または２倍胴の大きさの引渡しドラム、好適には２倍胴の大きさの蓄えドラムおよび好適には単倍胴の大きさの反転ドラムが配置されている。この場合、単倍胴の大きさの胴は、最大の判型の１つの基材を周面に保持することができる。この場合、単倍胴の大きさの胴は、たとえばオフセット印刷部において、たとえば版取付け式の版胴として構成された版胴の直径に対して同一の直径を有し、これに対して２倍胴の大きさの胴は、２倍の大きさの直径を有する。
【００５４】
反転ドラムには、特に反転グリッパシステムが装着されており、蓄えドラムには、基材を支持する外周面ごとにそれぞれ少なくとも１つの基材保持システムが装着されている。基材保持システムは、好適には、基材の、搬送方向Ｔで前方の縁部に対するグリッパシステムとして構成されている。好適には、基材の後方の領域に対する固定要素も設けられており、固定要素は、好適にはそれぞれ吸着システムとして構成されている。吸着システムは、好適には位置調整可能な後方の外周セグメントと結合されていて、周方向で、前方の外周セグメントに設けられたグリッパシステムに対して相対的に位置調整可能であるので、最大から最小までの判型の基材を、表面印刷の運転方式でかつ／または両面印刷の運転方式で、前方および後方の領域において蓄えドラム上に保持することができる。蓄えドラムおよび／または反転ドラムの下方に、基材を案内する基材ガイド要素が配置可能である。別の態様では、反転装置２３に対応して、蓄えドラムと反転ドラムとの間で基材を案内するためのガイドプレートが配置されている。
【００５５】
図１０は、基材を片面で加工するための、特に基材の片面印刷用の機械構造物を例示している。基材は、フィーダ０１から到来して、スインググリッパ１３により、たとえば単倍胴の大きさに構成された引渡しドラム１４へ引き渡され、そこからたとえば単一の搬送胴３９または単一の渡しドラム４３；４４だけを有する基材ガイドユニット２４を介して、３倍胴または４倍胴の大きさに構成された印刷胴２２を有する、それぞれ基材の表面に印刷を行うノンインパクト印刷装置０６に供給される。印刷胴２２の外周面における基材の載置を改善するために、つまり印刷胴２２の外周面に載置している基材の押さえを補助するために、印刷胴２２の回転方向で、印刷胴２２の周に沿って配置された少なくとも１つのノンインパクト印刷装置０６の手前に、たとえば吹出空気装置２７および／またはたとえば均しドラムまたは伸ばしドラムの態様をした押圧要素２８が設けられており、この場合、吹出空気装置２７および／または押圧要素２８は、それぞれ基材の搬送方向Ｔに対して直交方向で、好適にはそれぞれ基材の全幅にわたって延在する。たとえば、少なくとも２つの搬送胴３９または渡しドラム４３；４４を有する搬送胴構造物を備える基材ガイドユニット２４が続く。その後方に乾燥機０７および塗工装置０８が続く。塗工された基材は、続いて別の乾燥機０９において乾燥され、この場合、この乾燥機０９は、たとえばここでもチェンコンベヤ２１として構成された搬送装置の搬送経路内に配置されており、この場合、この搬送装置は、基材を、デリバリ１２へ搬送し、そこで排出する。基材ガイドユニット２４は、印刷胴２２を除いて、たとえばそれぞれ２倍胴の大きさに構成された搬送胴３９または渡しドラム４３；４４を有する。ノンインパクト印刷装置０６に好適には後置されたまたは前置された、少なくとも２つの搬送胴３９または渡しドラム４３；４４を有する搬送胴構造物を備える基材ガイドユニット２４は、基材の搬送方向Ｔで、該当する搬送胴３９または該当する渡しドラム４３；４４の少なくとも１．５倍の直径に相当する長さにわたって延在する。
【００５６】
図１１〜図１３は、それぞれ基材を片面で加工するための、特に片面印刷用の機械構造物を例示しており、この場合、フィーダ０１の後方に、たとえばプライマ塗布装置０２および乾燥機０７が設けられている。この機械構造物において、基材の搬送方向Ｔで、ノンインパクト印刷装置０６、基材ガイドユニット２４、別の乾燥機０７、塗工装置０８およびたとえばチェンコンベヤ２１として構成された搬送装置の搬送経路内に配置された乾燥機０９が続き、この場合、この搬送装置は、基材を、デリバリ１２へ搬送し、そこで排出する。
【００５７】
図１１の機械構造物では、印刷胴２２は、たとえば４倍胴の大きさに構成されている。４倍胴の大きさの印刷胴２２は、印刷が行われるべき基材を、直前に配置された、図示の例では３倍胴の大きさに構成された渡しドラム４３から受け取る。図１２の機械構造物では、印刷胴２２は、同様に４倍胴の大きさに構成されているが、４倍胴の大きさの印刷胴２２は、印刷が行われた基材を、印刷胴２２の直後に配置された３倍胴の大きさに構成された渡しドラム４４へ引き渡す。図１２は、印刷胴２２の直前に配置された３倍胴の大きさに構成された渡しドラム４３とともに、４倍胴の大きさに構成された印刷胴２２を示している。したがって、印刷胴２２には、複数倍胴の大きさに構成された渡しドラム４３が直前に配置されてよく、複数倍胴の大きさに構成された渡しドラム４４が直後に配置されてよい。印刷胴２２の外周面と、特にこの印刷胴２２の直前に配置された渡しドラム４３とは、たとえば、相互に当接されているまたは少なくとも当接可能であって、印刷胴２２と渡しドラム４３との間に、各々の基材を案内する隙間３２が形成されており、この場合、この隙間３２のその都度の幅は、好適には各々の基材に依存して、特にその材料厚さ、つまり基材の厚さまたは坪量に依存して調整されており、この場合、基材の坪量は、たとえば７ｇ／ｍ2〜６００ｇ／ｍ2である。好適には、隙間３２の、無段階に可変調整可能な幅は、たとえば０ｍｍ〜３ｍｍ、特に０．１ｍｍ〜１ｍｍの範囲にある。
【００５８】
図１３の機械構造物では、印刷胴２２およびこの印刷胴２２の直前に配置された渡しドラム４３は、それぞれ３倍胴の大きさに構成されている。図１１〜図１３の機械構造物は、印刷胴２２の大きさと、この印刷胴２２の直前に配置されたまたは直後に配置された渡しドラム４３；４４の大きさにおいてそれぞれ異なっている。４倍胴の大きさに構成された印刷胴２２は、図１２に例示されたように、たとえば約１２００ｍｍの直径を有する。この印刷胴２２と協働する、２倍胴の大きさに構成された渡しドラム４３は、約６００ｍｍの直径を有する。印刷胴２２と、印刷胴２２の直前に配置されたまたは直後に配置された渡しドラム４３；４４とのそれぞれの大きさは、それぞれの周に相前後して設けられた、それぞれ少なくとも１つの基材を配置するための区分５１；５２；５３；５４の数および／または特にこれらの区分５１；５２；５３；５４に関連して配置された保持要素の数により特定されており、この場合、保持要素は、各々の基材を、それぞれ力結合によりかつ／または形状結合により、該当する印刷胴２２または該当する渡しドラム４３；４４の周に保持する。該当する印刷胴２２の周に、該当するインクジェット装置を基材が通過する際に、該当するインクジェット印刷装置のインク吐出開口と、該当する回転する印刷胴２２の外周面に保持された基材の上面との間に、好適には数ミリメートル、特に約１ｍｍの間隔だけを置いて、それぞれ複数のインクジェット印刷装置、および追加的にたとえばそれぞれ１つの吹出空気装置２７および／またはたとえば均しドラムの態様をした１つの押圧要素２８が配置されており、この場合、吹出空気装置２７および／または押圧要素２８は、それぞれ基材の搬送方向Ｔに対して直交方向で、それぞれ基材の全幅にわたって延在する。均しドラムは、たとえば独自の回転駆動装置、たとえば好適には電気的な、制御ユニットにより制御可能なまたは調整可能なモータを有し、回転駆動装置により、わずかなスリップが、つまり該当する印刷胴２２の回転に関する回転数差が調整されるまたは少なくとも調整可能である。スリップは、その都度の印刷胴２２に引き渡される基材を伸ばすように働く。
【００５９】
図２〜図１３に示された機械構造物は、ＵＶ硬化性の印刷インキに関連して、たとえば食品または化粧品用の包装印刷において、特に有利に利用されているまたは少なくとも利用可能である。
【００６０】
図１４は、たとえば４倍胴の大きさに構成された印刷胴２２；３８と、この印刷胴２２；３８の直前に配置された２倍胴の大きさに構成された、供給ドラムまたは供給胴とも称される渡しドラム４３との詳細図であり、この場合、渡しドラム４３は、たとえば偏心的に位置調整可能な複数の、特に２つの胴面２９を有する。渡しドラム４３自体に、基材の搬送方向Ｔで、たとえば２倍胴または３倍胴の大きさに構成された少なくとも１つの渡し胴３９が前置されており、この場合、渡しドラム４３と、この渡しドラム４３の直前に配置された渡し胴３９との間にも、好適には被印刷物に依存して、特に基材の材料厚さに依存して調整されるまたは少なくとも調整可能な隙間が形成されているまたは少なくとも形成可能である。同様に印刷胴２２；３８の直後に、それぞれ図１４には図示されていないたとえば２倍胴または３倍胴の大きさに構成された別の渡し胴３９または２倍胴または３倍胴の大きさに構成された別の渡しドラム４４が配置されていてよい。４倍胴の大きさに構成された印刷胴２２；３８は、周方向で相前後して４つの区分５１；５２；５３；５４を有し、これらの区分５１；５２；５３；５４において、それぞれ基材を、該当する印刷胴２２；３８の外周面に保持することができる。隣り合う連続する区分５１；５２；５３；５４は、それぞれたとえば溝６２または胴溝６２により相互に分離されている。渡しドラム４３の、好適には圧縮可能にかつ／または弾性的に構成された胴面２９または完全な渡しドラム４３の全体が、たとえば、それぞれたとえば偏心ブシュとして構成された偏心軸受３１に軸支されていて、ひいては偏心的に位置調整可能である、特に制御ユニットにより遠隔位置調整可能である。印刷胴２２；３８の外周面と渡しドラム４３とは、たとえば相互に当接されているまたは少なくとも当接可能であり、これらの間に、各々の基材を案内する隙間３２が形成されており、この場合、この隙間３２のその都度の幅は、好適には材料厚さ、つまり各々の基材の厚さまたは坪量に依存して調整される。渡しドラム４３の胴面２９または完全な渡しドラム４３の全体の偏心的な位置調整により、好適には同時に、印刷胴２２；３８の外周面と渡しドラム４３の外周面との間の隙間３２だけではなく渡しドラム４３とその直前に配置された渡し胴３９との間の隙間も、特に被印刷物に依存して調整されるまたは少なくとも調整可能である。
【００６１】
４倍胴の大きさに構成された印刷胴２２；３８は、たとえば約１２００ｍｍの直径を有する。２倍胴の大きさに構成された渡しドラム４３は、たとえば約６００ｍｍの直径を有する。印刷胴２２；３８に前置されたまたは後置された渡しドラム４３；４４の下方に、好適には、ガイドプレート４２を有する少なくとも１つのコーム型サッカ３３が配置されており（図１９）、この場合、該当する渡しドラム４３；４４により搬送される基材は、コーム型サッカ３３のこのガイドプレート４２に沿って、これに擦過して搬送される。コーム型サッカ３３は、搬送される基材を支持する補助装置であり、この補助装置では、搬送されるべき基材を支持するためのほぼ閉じた載設部の代わりに、ガイドプレート４２が設けられており、この場合、ガイドプレート４２は、図１９において看取されるように、特に該当する渡しドラム４３；４４の下方の領域において区分ごとに配置された複数の吸着開口４７と、ガイドプレート４２の、好適にはそれぞれ反対側に位置する、該当する渡しドラム４３；４４の周方向で延在する両方の縁領域に、搬送されるべき基材の搬送方向Ｔに対して相互に平行に配置された複数の櫛歯３６とを有し、この場合、これらの櫛歯３６は、ガイドプレート４２の、長くて尖端の突出部を有する歯列として構成されている。さらに、コーム型サッカ３３は、少なくとも１つの吸着装置３４を有し、吸着装置３４により、ガイドプレート４２に支持されるべき基材は、吸着開口４７を通って流れる、吸着装置３４により発生させられる吸着空気により、このガイドプレート４２の方へ吸着される。印刷胴２２；３８がその各々の胴溝６２において、該当する印刷胴２２；３８により搬送されるべき基材を保持する、それぞれグリッパとして構成された保持要素を有する場合には、たとえば均しドラムの態様で構成された押圧要素２８は、印刷胴２２；３８の外周面に対して間隔を置いて、つまりたとえば基材の厚さに合わせて調整可能な隙間を形成して配置されている、または押圧要素２８は、印刷胴２２；３８の外周面へ押し付けて当接されているが、グリッパが通過するためのアンダカットを有する。印刷胴２２；３８の直前に配置された渡しドラム４３の、たとえば圧縮可能にかつ／または弾性的に構成された胴面２９も、印刷胴２２；３８の外周面に配置されたグリッパが通過するためのこの種のアンダカットを有する。各々のアンダカットに対して択一的に、該当するグリッパは、その各々の胴溝６２において、該当する印刷胴２２；３８の外周の内側へ降下することができる。図１４は、それぞれ印刷胴２２；３８の外周面に保持されるべき各々の基材の前方の端部および後方の端部のためのグリッパを有する印刷胴２２；３８を示しており、この場合、いくつかのグリッパは、印刷胴２２；３８の外周面を越えて半径方向で突出する開放動作位置で示されており、他のいくつかのグリッパは、特に印刷胴２２；３８の外周面と同一面を形成する閉鎖動作位置で示されている。押圧要素２８は、その都度の開放動作位置にあるグリッパとの衝突を回避するために、アンダカットを必要としている。
【００６２】
図１５〜図１８は、それぞれ吸着胴、特に面状の吸着胴としての、加工胴、特に印刷胴２２；３８の構成を例示している。図１５は、吸着胴を断面図で示している。本態様において吸着胴として構成された印刷胴２２；３８は、好適には４倍胴の大きさに構成されており、つまり印刷胴２２；３８は、その外周面に、周方向で相前後して４つの区分５１；５２；５３；５４を有し、これらの区分５１；５２；５３；５４において、それぞれ印刷されるべき基材がたとえば吸着空気により保持されるまたは少なくとも保持可能である。そのために、吸着胴において、各々の区分５１；５２；５３；５４に、それぞれ区分５１；５２；５３；５４の内側からその外周面へ延在する複数の通路５６が終端しており、通路５６では、吸着装置により、周囲空気圧に対して負圧が発生させられるまたは少なくとも発生可能である。吸着孔とも称されるこれらの通路５６は、各々の区分５１；５２；５３；５４において吸着胴の外周面に吸着孔区分を形成している。各々の吸着孔区分において、吸着胴の外周面に載置している基材は、大面積で吸着され、これにより保持される。各々の吸着孔区分の大きさは、たとえば保持されるべき基材の判型に依存して調整されるまたは少なくとも調整可能である。
【００６３】
図１６は、図１５の吸着胴の部分拡大斜視図を示しており、この図では、外周面において終端する通路５６のたとえばマトリックス状の配置が、つまり各々の吸着孔区分が示されている。各々の区分５１；５２；５３；５４の、吸着胴の回転方向で少なくとも前方の端部にまたは前方の端部にだけ歯列５７が設けられており、この場合、特に歯列５７の各々の歯に関して、たとえばサッカ５８として構成されたそれぞれ１つの保持手段が設けられており、この場合、それぞれサッカ５８として構成された保持手段は、好適には歯列５７の歯部の領域に配置されていて、この歯列５７の歯溝の領域には配置されていない。歯列５７の歯部の領域に設けられたサッカ５８は、たとえば吸着胴の軸方向に延在する単一の列に配置されている。吸着胴のサッカ５８には、この吸着胴の、たとえば供給ドラムにより形成された接点の直前に、吸着空気が加えられる。吸着胴の別の態様では、各々の区分５１；５２；５３；５４の前方の端部に、そこに位置するサッカ５８の代わりにまたはこれらのサッカ５８に対して追加的に、それぞれグリッパが設けられている。吸着胴のこれらのグリッパのうちの１つのグリッパにより成されるグリッパ開閉は、たとえば均しドラムとのこの吸着胴の接点で行われる、つまりグリッパ開閉は、この時点でまたは吸着胴のこの回転角度位置で実施される。吸着胴の回転方向は、方向矢印により示されている。
【００６４】
図１７は、吸着胴の部分拡大斜視図で、吸着胴の外周面の構成の変化態様を示している。吸着胴の内側へ向けられた通路５６のための開口を有する、図１６に示された外周面の代わりに、ここでは、特に区分５１；５２；５３；５４において、周方向に延在するウェブ５９が形成されており、ウェブ５９上に、吸着された基材が載置可能であり、この場合、そのような基材は、隣り合うウェブ５９の間に作用する吸着空気により、吸着胴の外周面に保持される。吸着胴は、それぞれ、各々の区分５１；５２；５３；５４の、吸着胴の回転方向で後方の端部が、大きさを変えて、吸着胴の外周面に保持されるべき基材の長さに適合可能であるように構成されてよい。それぞれ吸着胴の周方向での、各々の区分５１；５２；５３；５４のその都度の長さの、長さに関する適合性は、図１６および図１７において、それぞれ両矢により示されている。吸着胴の特に好適な態様によれば、各々の区分５１；５２；５３；５４の、吸着胴の回転方向で前方の端部に、それぞれグリッパおよび／またはサッカ５８が配置されており、これに対して各々の区分５１；５２；５３；５４の、吸着胴の回転方向で後方の端部に、それぞれサッカ５８が配置されており、吸着胴に関して、吸着胴の回転方向で該当する第１の区分５１；５２；５３；５４の直後に配置された第２の区分５１；５２；５３；５４の前方の端部に対して相対的な、第１の区分５１；５２；５３；５４の後方の端部の回転角度位置は、第１の区分５１；５２；５３；５４において保持されるべき基材の判型に依存して、好適にはこの吸着胴の回転経過中にも、たとえば吸着胴の外周面の部分の機械的な位置調整により可変に調整されるまたは少なくとも調整可能である。さらに、吸着胴が、その最小の大きさの領域で面状に構成されている（図１６）、またその大きさが変化する領域にウェブ５９を有する（図１７）ように設計されてよい。
【００６５】
図１８は、供給胴として構成された渡しドラム４３と協働した状態で、吸着胴として構成された印刷胴２２；３８を示しており、この場合、この供給胴４３は、吸着胴の直前に配置されている。供給胴４３は、好適には２倍胴の大きさに構成されているので、供給胴４３は、その周に、２つの基材を相前後して保持することができる。別の変化態様では、供給胴４３は、３倍胴の大きさに構成されているので、供給胴４３は、その周に、３つの基材を相前後して保持することができる。好適な変化態様では、印刷胴２２；３８の直前に配置された供給胴４３の直径に対するこの印刷胴２２；３８の直径の比は、厳密には整数ではなく、供給胴４３の直径は、印刷胴２２；３８の直径の整数分の１よりも０．１％〜０．３％の範囲でより小さく構成されている。たとえば、印刷胴２２；３８は、１２００ｍｍの直径を有し、供給胴４３は、６００ｍｍの代わりに５９８ｍｍの直径を有する、つまり２倍胴の大きさに構成された供給胴４３の直径は、１２００ｍｍの直径を有する４倍胴の大きさに構成された印刷胴２２；３８に対する比において、整数の約数２より小さい。供給胴４３は、その周に、つまりその外周面に、たとえば弾性的な上張りを有し、その上張りでもって、供給胴４３は、特に吸着胴として構成された印刷胴２２；３８の外周面上を転動する、つまり転動して当接するまたは少なくとも当接可能である。好適な態様では、渡しドラム４３は、そのたとえば２倍胴の大きさの構成に対してわずかに小さな直径を有し、これにより、上張りが施された渡しドラム４３は、印刷胴２２；３８の外周面に面圧を加えない。供給胴４３は、基材を、たとえばそれぞれグリッパ６１により保持する。吸着胴が溝を有さずに構成されている場合、吸着胴は、たとえばそれぞれ軸方向で延在する、外周面において開いた溝６２または胴溝６２に、それぞれ少なくとも１つのグリッパ、いわゆる安全グリッパをも有し、これは、吸着空気が一度損なわれるまたは失われる場合に基材の保持を可能にする。吸着胴に、各々の基材の前方の端部を保持するグリッパだけでなく各々の基材の後方の端部を保持するグリッパも設けられてよい。吸着胴のこのグリッパは、たとえば、吸着胴に形成された歯列５７の歯溝に係合する。図１８は、基材が供給胴４３から吸着胴へ引渡し可能である、吸着胴および供給胴４３の回転角度位置を示している。供給胴４３および吸着胴の各々の胴溝６２とグリッパとは、供給胴４３から吸着胴へ基材を引き渡すための各々の回転角度位置および動作位置において、相互に同期化されている。吸着胴への、つまり吸着胴のサッカ５８および／または吸着孔区域へのその都度の吸着空気の供給は、たとえば吸着胴の回転角度位置に依存して切り換えられるまたは少なくとも切換え可能である。したがって、供給胴４３から吸着胴への基材の引渡しは、専らサッカ５８の起動により可能であるが、供給胴４３のグリッパだけでなく吸着胴のグリッパであるグリッパと関連付けても可能である。別の改良態様によれば、供給胴４３または渡しドラムを、印刷胴２２；３８に関して前述されたものと同等の特徴を有する蓄えドラムまたは吸着ドラムとして構成するように設計されているので、各々の基材は、この蓄えドラムまたは吸着ドラムにより既に伸ばされて、特に吸着胴として構成された加工胴、特に印刷胴２２；３８へ引き渡される。この場合、各々の基材は、印刷胴２２；３８へ引き渡される前に既に伸長状態となる。この場合、伸長状態は、基材の後縁が前縁に関して正確に位置を合わせて固定されている状態をいう。択一的に、基材の伸長状態は、該当する基材が印刷胴２２；３８の外周面上に配置されてはじめて形成される。後者の態様は、供給胴４３から印刷胴２２；３８への基材の繰り返される確実な案内を前提としており、これに対して前者の態様は、時間の節約やより高い動作確実性を意味する。というのも、基材が、既に供給胴４３上で伸長状態にされるからである。
【００６６】
印刷胴２２；３８と協働する供給胴４３の内側に乾燥機０７；０９が配置されており、乾燥機０７；０９により、供給胴４３から搬送される、たとえば予めプライマが塗布された基材が乾燥されるように設計されてよい。そのような乾燥機０７；０９は、基材を、たとえばＩＲ放射またはＵＶ放射による照射によりかつ／または熱風により乾燥する。
【００６７】
ノンインパクト印刷装置０６；３７は、各々の機械構造物の好適な態様によれば、それぞれインクジェット印刷装置として構成されている。このようなインクジェット印刷装置は、それぞれ少なくとも１つのノズルビームを有する。少なくとも１つのノズルビームは、印刷機の作業幅にわたって、被印刷物または基材の所定の搬送経路に対して好適には直交方向に延在する。少なくとも１つのノズルビームは、好適には少なくとも１つのノズル列を有する。少なくとも１つのノズル列は、横方向に見て、好適には印刷機の全作業幅および／または少なくとも１つの第１の中心胴、つまり印刷胴２２；３８の胴中の幅にわたって、たとえば規則的な間隔で、複数のノズル開口、つまりインク吐出開口を有する。これらのノズルは、好適には複数の印刷ヘッドに分配されている。各々の印刷ヘッドの、ノズル開口を包囲する面は、好適にはノズル面と称される。
【００６８】
好適には、各々のノズルビームは、少なくとも１つの支持体を有する。支持体に、直接にまたは好適には間接に、たとえば位置決め装置および／または特に位置合わせ装置として構成された結合要素を介して、このノズルビームの印刷ヘッドが取り付けられている。ノズルビーム自体は、好適には、少なくとも１つの作動装置を介して、印刷機器、つまり該当する加工ステーション０６のフレームに対して相対的にかつ／または印刷機器の中心胴の回転軸線に対して可動に配置されている。作動装置の作動経路は、第１の態様では、専ら、中心胴の回転軸線に対して半径方向の少なくとも１つの成分を有し、かつさらに好適には専ら中心胴の回転軸線に対して半径方向に配向された作動方向に向いている。作動装置の作動経路は、作動装置の第２の態様では、その全長の少なくとも７５％、さらに好適には少なくとも９０％にわたって、中心胴の回転軸線に対して平行の方向の少なくとも１つの成分を有し、かつさらに好適には専ら中心胴の回転軸線に対して平行に配向された作動方向に向いている。この場合、作動経路のわずかな部分が、好適にはそれにもかかわらず半径方向に向いており、これにより、印刷ヘッドの損傷が回避される。
【００６９】
作動装置による作動運動は、たとえば保守作業および／または洗浄作業および／または１つもしくは複数の印刷ヘッドの個別のまたは群ごとの交換のために印刷ヘッドへのアクセスを可能にするのに役立つ。特に、作動装置を用いた作動運動により、各々の印刷ヘッドに対する洗浄装置の一時的なアクセスを提供することができる。
【００７０】
好適には、横方向に相並んで複数の印刷ヘッドが、少なくとも１つのノズルビームに配置されており、印刷ヘッドのノズル面は、たとえば矩形の形状を有するが、さらに好適には台形および／または平行四辺形の形状を有する。通常はそのような個々の印刷ヘッドには、ハウジングの縁にまでノズルが設けられていないので、印刷ヘッドは、横方向に関して重畳して配置しなければならない。少なくとも１つのノズル列は、好適には単一で線形の、ノズルが相並んだ列として構成されているのではなく、全体で複数の単一の、さらに好適には２つの、周方向で相互にずらして配置された、ノズルが相並んだ列が生じる。これについては様々な態様が実現可能である。
【００７１】
第１の態様によれば、たとえば少なくとも２つ、さらに好適には正確に２つの、横方向に延在する印刷ヘッド列が、第１の中心胴の周方向で相互にずらして配置されていて、好適には、横方向で連続する印刷ヘッドが、好適には交互に、少なくとも２つの印刷ヘッド列に属し、好適には常に２つの印刷ヘッド列の第１の列と第２の列とに交互に属するように配置されている。そのような２つの印刷ヘッド列は、印刷ヘッドの１つの２重列を形成する。
【００７２】
第２の態様によれば、印刷ヘッドは、相互に適合するハウジング形状を有する。たとえば、各々の印刷ヘッドの各々のノズル面、および／または印刷ヘッドの、印刷ヘッドを吐出方向で画定する少なくとも１つの各々の面は、矩形とは異なる形状を有し、特に、好適には対称の台形および／または平行四辺形の形状を有する。これにより、隣り合う印刷ヘッドのノズル面は、横方向に関して重畳し、それにもかかわらず印刷ヘッドを横方向に関して直接に相並んで配置することが可能であり、特に搬送方向Ｔで相互にずらすことなく配置することができる。そのような印刷ヘッド列は、たとえば斜めに重畳する印刷ヘッド列と称される。
【００７３】
特に、少なくとも印刷運転時、少なくとも１つの第１の中心胴に関して周方向で、複数の印刷ヘッド列が、たとえば少なくとも４つの２重列が、さらに好適には少なくとも７つの、印刷ヘッドの２重列が、または好適には少なくとも４つの斜めに重畳する印刷ヘッド列が、さらに好適には少なくとも７つの斜めに重畳する印刷ヘッド列が、相前後して少なくとも１つの第１の中心胴へ向けられて配置されている。
【００７４】
各々の印刷ヘッドの２重列または斜めに重畳する印刷ヘッド列に、好適には、被覆剤、特に特定の色の印刷インキが対応付けられているかつ／または対応付け可能であり、たとえば墨、シアン、イエローおよびマゼンタもしくはオレンジ、グリーン、バイオレットの色のうちのそれぞれ１つの色またはラッカ、たとえばクリアラッカが対応付けられているかつ／または対応付け可能である。たとえばそれぞれ１つの被覆剤に、印刷ヘッドの２つの２重列または２つの斜めに重畳する印刷ヘッド列が対応付けられている。少なくとも１つの印刷ヘッドは、被覆剤滴を形成するために、好適にはドロップオンデマンド法に従って作動し、この場合、被覆剤滴は、必要に応じて的確に形成される。
【００７５】
通常の印刷運転時、全ての印刷ヘッドは、位置固定に配置されている。これにより、全てのノズルの継続的な色間見当通りのかつ／または表裏見当通りの配向が保証される。作動装置による運動を除いて、印刷ヘッドの所定の位置合わせ運動が必要である様々な状況が存在する。印刷ヘッドのその都度の位置合わせ運動は、好適には少なくとも１つの位置決め装置により行われる。
【００７６】
好適には、少なくとも１つの位置決め装置が配置されており、位置決め装置により、少なくとも１つの印刷ヘッドの位置を調整することが可能であり、特に、印刷機器の他の印刷ヘッドにかつ／または同一のノズルビームに属する他の印刷ヘッドに対する位置を、かつ／または横方向に関する位置を、かつ／またはノズル吐出方向に対して平行に配向された揺動軸線に関する位置を調整することができる。好適には、複数の位置決め装置が配置されている。たとえば、各々の印刷ヘッドに、独自の位置決め装置が対応付けられている。しかし好適には、少なくとも１つのその種の位置決め装置が複数の印刷ヘッドに共通して対応付けられていて、特に、複数の印刷ヘッドが共通して、印刷ヘッドに対応付けられた共通の位置決め装置により、位置を調整することが可能であり、特に共通のノズルビームに対して相対的なかつ／またはこの共通のノズルビームに配置された別の印刷ヘッドに対して相対的な位置を、かつ／または横方向に関する位置を、かつ／またはノズル吐出方向に対して平行に配向された揺動軸線に関する位置を調整することができるように対応付けられている。
【００７７】
たとえば、少なくとも１つの位置決め装置が、少なくとも１つの基体を有する。好適には、少なくとも１つの印刷ヘッドが、少なくとも１つの基体に配置されている。さらに好適には、複数の、特に少なくとも３つの、好適には少なくとも４つの印刷ヘッドが、少なくとも１つの基体に配置されている。基体は、好適には一体に構成されている。
【００７８】
一方では各々の印刷ヘッドと、他方では基体とは、たとえば少なくとも１つの結合要素を介して結合されている。少なくとも１つの結合要素は、たとえば位置合わせ装置として構成されている。位置合わせ装置により、各々の印刷ヘッドは、好適には基体に対して個別に位置合わせ可能であり、特に手動で、かつ／または横方向に関する位置を、かつ／またはノズル吐出方向に対して平行に配向された揺動軸線に関する位置を位置合わせ可能である。このようにして、好適には複数、特に少なくとも３つ、さらに好適には少なくとも４つの印刷ヘッドが基体に対して相対的に、ひいては相互にも位置合わせ可能である。
【００７９】
好適には、複数の、特に少なくとも３つ、さらに好適には少なくとも４つの印刷ヘッドと、基体とは、それぞれ第１の構成群の構成部分である。第１の構成群の印刷ヘッドは、たとえば印刷機器の外側で、基体に対して相対的に、ひいては相互にも位置合わせされている。これにより、印刷ヘッドは、対応する工具により、かつ／または相対的な位置を検出するカメラを利用して、かつ／または基体に対する特に良好なアクセスを有して、ひいては相互にも位置合わせ可能である。これにより、特に正確に位置合わせされた各々の第１の構成群が形成される。
【００８０】
好適には、各々のノズルビームは、このような複数の第１の構成群を支持して配置されている。好適には、これらの複数の第１の構成群は、それぞれ独自の位置決め装置を介して、このノズルビームの支持体に対する相対的なその都度の位置を調整することができる。したがって、好適には、支持体に複数の位置決め装置が配置されている。好適には、支持体に、少なくとも間接に位置決め装置を介して、複数の第１の構成群が配置されており、特に複数の位置決め装置を介して、それぞれ支持体に対する相対的な位置を調整することができる。たとえば支持体に、少なくとも間接に位置決め装置を介して、斜めに重畳する２つの印刷ヘッド列の印刷ヘッドが配置されている。
【００８１】
この場合、支持体の運動により、支持体に直接にまたは間接に取り付けられた全ての印刷ヘッドを、特に相互の相対的な向きを変えることなく、運動させることができる。
【００８２】
最適な印刷結果を得るためにどの印刷ヘッドをまたは印刷ヘッドのどの群をどの程度どの方向へ運動させなければならないかを確定するために、好適には少なくとも１つのテスト印刷像が印刷されて、検査される。結果として、位置決め装置の調整が求められ、次いで、位置決め装置は、手動でかつ／または各々の位置決め駆動装置を用いて調整される。個々の位置合わせ装置の調整は、好適には手動で求められるかつ／または調整されるが、択一的に同様に少なくとも１つのテスト印刷像を介して求めることができる。
【００８３】
好適には、少なくとも１つの、第１の印刷像センサとして構成されたセンサが配置されていて、特に被印刷物の搬送経路に沿って、第１の印刷部の後方の所定の箇所に配置されている。少なくとも１つの第１の印刷像センサは、たとえば、第１のラインカメラとしてまたは第１のエリアカメラとして構成されている。少なくとも１つの第１の印刷像センサは、たとえば、少なくとも１つのＣＣＤセンサとしてかつ／または少なくとも１つのＣＭＯＳセンサとして構成されている。この少なくとも１つの第１の印刷像センサと、これに対応する評価ユニット、たとえば上位の機械制御装置とにより、好適には、第１の印刷部の、全ての、少なくとも１つの第１の中心胴の周方向で相前後して位置するかつ／または作用する印刷ヘッドおよび／または印刷ヘッドの２重列および／または斜めに重畳する印刷ヘッド列の制御が監視されるかつ／または調整される。少なくとも１つの印刷像センサの第１の態様によれば、第１の印刷像センサだけが配置されており、そのセンサ領域は、被印刷物の搬送経路の全幅を含む。少なくとも１つの印刷像センサの第２の態様によれば、第１の印刷像センサだけが配置されており、第１の印刷像センサは、横方向で可動に構成されている。少なくとも１つの印刷像センサの第３の態様によれば、複数の印刷像センサが配置されており、印刷像センサの各々のセンサ領域は、それぞれ横方向に関して、被印刷物の搬送経路のそれぞれ異なる領域を含む。
【００８４】
各々の第１の印刷ヘッドに起源する被覆剤滴により形成される画素の位置は、好適には、少なくとも１つの第１の中心胴の周方向でかつ／または被印刷物の所定の搬送方向Ｔで各々の第１の印刷ヘッドの後方に配置されてかつ／または印刷ヘッドに対して横方向に配置されて位置する各々の第２の印刷ヘッドに起源する被覆剤滴により形成される画素の位置と比較される。これは、好適には、少なくとも１つの第１の中心胴の周方向で相前後して位置するかつ／または作用するそれぞれ第１の印刷ヘッドと第２の印刷ヘッドとが同一のまたは異なる被覆剤を処理するのか否かにかかわらず行われる。好適には、異なる印刷ヘッドに起源する印刷像の位置の調和が監視される。被覆剤が同一の場合、部分像の表裏見当通りの組み合わせが監視される。被覆剤がそれぞれ異なる場合、色間見当が監視される。好適には、少なくとも１つの印刷像センサの測定値により、印刷像の品質管理も実行される。
【００８５】
好適には、少なくとも１つの調整センサが配置されている。さらに好適には、少なくとも２つの調整センサが配置されている。少なくとも１つの調整センサおよび特に少なくとも２つの調整センサは、複数の、たとえば少なくとも４つの印刷ヘッドまたは印刷ヘッド群同士の相対的な調整に関するデータを検出するために用いられる。好適には、少なくとも１つの調整センサまたは少なくとも２つの調整センサは、光学センサである。そのような相対的な調整は、たとえば複数の印刷ヘッドまたは印刷ヘッド群の相対的で幾何学的な位置決めならびに／または特に複数の印刷ヘッドおよび／もしくは印刷ヘッド群の相対的な制御時点、特に滴吐出時点である。相対的な調整は、追加的にまたは択一的に、たとえば、形成された画素の少なくとも１つの色濃度および／または少なくとも１つの網点面積率および／または少なくとも１つの画素の大きさに該当する相対的な調整である。以下、相対的な調整は、幾何学的な位置決めおよび／または制御時点、特に滴吐出時点に関する。しかも記載の装置および／またはプロセスは、矛盾が生じない限りは、別の記載の相対的な調整にも該当する。
【００８６】
少なくとも１つの調整センサおよび特に少なくとも２つの調整センサは、好適には、少なくとも位置センサとして構成されている。少なくとも２つの調整センサ、特に位置センサは、たとえばカメラとしてかつ／またはＣＣＤセンサとしてかつ／またはＣＭＯＳセンサとして構成されている。少なくとも２つの調整センサ、特に位置センサは、好適には、直接にまたは間接に、それぞれ少なくとも２つの印刷ヘッドおよび／または印刷ヘッド群同士の相対的な位置および／または制御を検出するのに用いられる。好適な間接の検出のために、少なくとも１つの調整センサおよび特に少なくとも２つの調整センサは、好適には被印刷物へ方向付け可能であるかつ／または方向付けられている、かつ／または被印刷物の搬送のために設けられた搬送経路へ方向付けられているかつ／または方向付け可能に配置されている、かつ／または少なくとも１つの引渡し体へ方向付けられているかつ／または方向付け可能に配置されている。
【００８７】
好適には、少なくとも一時的に、少なくとも１つの既に予め配置された印刷ヘッド群の目標領域の位置に対して相対的な少なくとも１つの新たにかつ／または再び配置された印刷ヘッドの目標領域のその都度の位置および／または少なくとも１つの既に予め配置された印刷ヘッド群の目標領域の位置に対して相対的な少なくとも１つの新たにかつ／または再び配置された印刷ヘッド群の目標領域のその都度の位置が検出可能である。これは、好適には、共通の調整センサ、特に位置センサを用いて、被印刷物上の、各々の印刷ヘッドにより形成される画素の相対的な位置の比較に基づいて行われる。画素の相対的な位置は、好適には評価ユニット、たとえば上位の機械制御装置により評価される。
【００８８】
そのために、少なくとも１つの調整センサとして、たとえば既述の少なくとも１つの第１の印刷像センサが使用される。好適には、既述の少なくとも１つの第１の印刷像センサとは別の調整センサ、たとえばその役割に特化された調整センサが使用される。
【００８９】
少なくとも１つの印刷ヘッドおよび／または少なくとも１つの印刷ヘッド群の組付けおよび／または保守および／または交換および／または洗浄の後で、好適には、少なくとも１つのテスト印刷像を形成するためのテスト印刷が行われ、その際、一方では新たにかつ／または再び配置されるべき印刷ヘッドおよび／または新たにかつ／または再び配置されるべき印刷ヘッド群が、他方では基準またはガイド印刷ヘッドとして用いられる少なくとも１つの印刷ヘッドが、印刷インキ滴またはインキ滴を被印刷物または基材へ転移させる。少なくとも１つのテスト印刷像は、好適には自動で少なくとも１つの調整センサ、たとえば第１の印刷像センサを用いて検出される。少なくとも１つのテスト印刷像により記録されたかつ検出された、目標位置からの、少なくとも１つの新たにかつ／または再び配置された印刷ヘッドまたは相応の印刷ヘッド群の実際位置のずれが存在する場合、好適には自動的に、横方向でのかつ／または対応する位置決め装置による揺動位置に関する、この印刷ヘッドまたは印刷ヘッド群の位置の適合、および／または制御時点、特にインク吐出時点に関するこの印刷ヘッドのノズルの制御の適合が行われる。
【符号の説明】
【００９０】
０１  加工ステーション；フィーダ；シートフィーダ；マガジンフィーダ
０２  加工ステーション；プライマ塗布装置
０３  加工ステーション；コールドフォイル塗布装置
０４  加工ステーション；オフセット印刷装置；フレキソ印刷装置
０６  加工ステーション；ノンインパクト印刷装置
０７  加工ステーション；中間乾燥機、乾燥機
０８  加工ステーション；塗工装置
０９  加工ステーション；乾燥機
１１  加工ステーション；機械的な後続処理装置
１２  加工ステーション；デリバリ
１３  スインググリッパ
１４  引渡しドラム
１６  グリッパシステム；チェンコンベヤ
２１  チェンコンベヤ
２２  印刷胴
２３  反転装置
２４  基材ガイドユニット；下部構造モジュール
２６  基材加工ユニット；上部構造モジュール
２７  吹出空気装置
２８  押付要素
２９  胴面
３１  偏心軸受
３２  隙間
３３  コーム型サッカ
３４  吸着装置
３６  櫛歯
３７  加工ステーション：ノンインパクト印刷装置
３８  印刷胴
３９  搬送胴
４１  吸着ヘッド
４２  ガイドプレート
４３  渡しドラム；供給胴
４４  渡しドラム
４６  加工部
４７  吸着開口
５１  区分
５２  区分
５３  区分
５４  区分
５６  通路
５７  歯列
５８  サッカ
５９  ウェブ
６１  グリッパ
６２  溝、胴溝
８２  印刷部胴
８３  インキ着けローラ；アニロックスローラ
８４  ドクタ；チャンバ方式ドクタシステム
８６  印刷部
８７  印刷部
８８  印刷部
ａ  間隔
ｄ  直径
Ｔ  搬送装置
α１  角度
α２  角度
【図１】
2020037268.tif 000003
【図２】
2020037268.tif 000004
【図３】
2020037268.tif 000005
【図４】
2020037268.tif 000006
【図５】
2020037268.tif 000007
【図６】
2020037268.tif 000008
【図７】
2020037268.tif 000009
【図８】
2020037268.tif 000010
【図９】
2020037268.tif 000011
【図１０】
2020037268.tif 000012
【図１１】
2020037268.tif 000013
【図１２】
2020037268.tif 000014
【図１３】
2020037268.tif 000015
【図１４】
2020037268.tif 000016
【図１５】
2020037268.tif 000017
【図１６】
2020037268.tif 000018
【図１７】
2020037268.tif 000019
【図１８】
2020037268.tif 000020
【図１９】
2020037268.tif 000021
【手続補正書】
【提出日】令和1年10月18日(2019.10.18)
【手続補正１】
【補正対象書類名】特許請求の範囲
【補正対象項目名】全文
【補正方法】変更
【補正の内容】
【特許請求の範囲】
【請求項１】
シート状の基材を連続的に加工する機械構造物であって、
複数の様々な加工ステーション（０１；０２；０３；０４；０６；０７；０８；０９；１１；１２）を備え、
複数の加工ステーション（０１；０２；０３；０４；０６；０７；０８；０９；１１；１２）は、それぞれ基材ガイドユニット（２４）と基材加工ユニット（２６）とを有し、前記加工ステーション（０１；０２；０３；０４；０６；０７；０８；０９；１１；１２）のうちの少なくとも１つの加工ステーションは、基材加工ユニット（２６）として、それぞれ基材にその都度印刷を行う少なくとも１つのノンインパクト印刷装置（０６；３７）を有し、少なくとも１つの前記ノンインパクト印刷装置（０６；３７）を有する該当する前記加工ステーションは、印刷胴（２２；３８）を有し、各々の前記ノンインパクト印刷装置（０６；３７）は、それぞれ前記印刷胴（２２；３８）の周に配置されており、それぞれ、各々の前記印刷胴（２２；３８）は、３倍胴または４倍胴の大きさに構成されており、各々の前記印刷胴（２２；３８）の直前に、それぞれ、２倍胴または３倍胴の大きさに構成された渡しドラム（４３）または相応の供給胴（４３）が配置されている、かつ／または各々の前記印刷胴（２２；３８）の直後に、２倍胴または３倍胴の大きさに構成された渡しドラム（４４）または相応の搬送胴（４４）が配置されている、機械構造物。
【請求項２】
それぞれ、各々の前記印刷胴（２２；３８）の直前に配置された前記渡しドラム（４３）または直前に配置された前記供給胴（４３）は、それぞれ前記渡しドラム（４３）または前記供給胴（４３）の周に、それぞれ１つの弾性的な上張りを有し、該上張りでもって、前記渡しドラム（４３）または前記供給胴（４３）は、該当する前記印刷胴（２２；３８）の外周面に当接されているまたは少なくとも当接可能であることを特徴とする、請求項１記載の機械構造物。
【請求項３】
それぞれ、各々の前記印刷胴（２２；３８）の直前に配置された前記渡しドラム（４３）または直前に配置された前記供給胴（４３）は、それぞれ周方向で位置調整可能な複数の胴面（２９）を有しており、それぞれ、各々の前記印刷胴（２２；３８）の直前に配置された前記渡しドラム（４３）または直前に配置された前記供給胴（４３）の前記胴面（２９）は、それぞれ位置変化可能に支持されていることを特徴とする、請求項１または２記載の機械構造物。
【請求項４】
各々の前記印刷胴（２２；３８）は、それぞれ吸着胴として構成されており、該当する前記印刷胴（２２；３８）への吸着空気の供給は、その都度前記印刷胴（２２；３８）の回転角度位置に依存して切り換えられるまたは少なくとも切換え可能であることを特徴とする、請求項１または２または３記載の機械構造物。
【請求項５】
各々の前記印刷胴（２２；３８）は、それぞれ該印刷胴（２２；３８）の外周面に、周方向で相前後して、それぞれ１つの基材を保持する複数の、特に２つ、３つ、又は４つの区分（５１；５２；５３；５４）を有し、該当する前記印刷胴（２２；３８）に関して、前記印刷胴（２２；３８）の回転方向において、第１の区分（５１；５２；５３；５４）の後方の端部の回転角度位置は、前記印刷胴（２２；３８）の回転方向において該当する第１の区分（５１；５２；５３；５４）の直後に配置された第２の区分（５１；５２；５３；５４）の前方の端部に対して相対的に、前記第１の区分（５１；５２；５３；５４）において保持されるべき基材の判型に依存して可変に調整可能であることを特徴とする、請求項１または２または３または４記載の機械構造物。
【請求項６】
それぞれ前記区分（５１；５２；５３；５４）のうちの１つの区分において終端する複数の通路（５６）が、各々の前記区分（５１；５２；５３；５４）において前記印刷胴（２２；３８）の外周面に吸着孔区分を形成し、各々の前記吸着孔区分の大きさは、保持されるべき基材の判型に依存して調整されるまたは少なくとも調整可能であることを特徴とする、請求項５記載の機械構造物。
【請求項７】
前記印刷胴（２２；３８）の回転方向において、各々の前記区分（５１；５２；５３；５４）の前方の端部に、それぞれ基材を保持するための、それぞれ少なくとも１つのグリッパおよび少なくとも１つのサッカ（５８）が配置されていることを特徴とする、請求項５または６記載の機械構造物。
【請求項８】
各々の前記区分（５１；５２；５３；５４）の、前記印刷胴（２２；３８）の回転方向で少なくとも前方の端部にまたは前方の端部にだけ、それぞれ１つの歯列（５７）が設けられており、前記歯列（５７）の歯部の領域に、それぞれ１つのまたは複数のサッカ（５８）が配置されている、または前記歯列（５７）の歯部の領域に、１つのサッカ（５８）列が配置されていることを特徴とする、請求項５または６または７記載の機械構造物。
【請求項９】
少なくとも１つの前記ノンインパクト印刷装置（０６；３７）を有する該当する前記加工ステーションに対して、別の基材加工ユニット（２６）を有しておらず純粋な搬送モジュールとして形成された基材ガイドユニット（２４）が前置または後置されており、前記搬送モジュールは、独自のフレーム内に配置されているかつ／または横方向スペースとして形成されていることを特徴とする、請求項１または２または３または４または５または６または７または８記載の機械構造物。
【請求項１０】
該当する基材加工ユニット（２６）を有する加工ステーションの前記印刷胴（２２；３８）の回転軸線と、直後に配置された渡しドラム（４４）または直後に配置された搬送胴（４４）の回転軸線とを通って延在する直線が、水平線に対して鋭角（α１）を形成し、かつ／または該当する基材加工ユニット（２６）を有する加工ステーションの前記印刷胴（２２；３８）の回転軸線と、直前に配置された渡しドラム（４３）または直前に配置された供給胴（４３）の回転軸線とを通って延在する直線が、水平線に対して鋭角（α２）を形成し、水平線は、それぞれ該当する前記渡しドラム（４３；４４）の回転軸線または該当する前記搬送胴（４４）または該当する前記供給胴（４３）の回転軸線を通って延在することを特徴とする、請求項１または２または３または４または５または６または７または８または９記載の機械構造物。
【請求項１１】
後置された前記渡しドラム（４４）または後置された前記搬送胴（４４）に関して向けられた角度（α１）は、前置された前記渡しドラム（４３）または前置された前記供給胴（４３）に関して向けられた角度（α２）の１倍〜２倍の範囲にある、または前置された前記渡しドラム（４３）または前置された前記供給胴（４３）に関して向けられた角度（α２）の１．３倍〜１．７倍の範囲にある、または前置された前記渡しドラム（４３）または前置された前記供給胴（４３）に関して向けられた角度（α２）の１．５倍であり、かつ／または前置された前記渡しドラム（４３）または前置された前記供給胴（４３）に関して向けられた角度（α２）は、１５°〜３０°の範囲にある、または２０°〜２５°の範囲にある、または２２．５°であることを特徴とする、請求項１０記載の機械構造物。
【請求項１２】
前記加工ステーション（０１；０２；０３；０４；０６；０７；０８；０９；１１；１２）は、それぞれモジュールとして構成されており、各々のモジュールは、独立して製作された機械ユニットまたは機能性構成群であり、各々の前記モジュールは、独自のフレーム内に配置されており、隣り合うモジュールは、該モジュールの接合箇所に、略鉛直の接合面を有することを特徴とする、請求項１または２または３または４または５または６または７または８または９または１０または１１記載の機械構造物。
【請求項１３】
前記基材ガイドユニット（２４）および前記基材加工ユニット（２６）は、該基材ガイドユニット（２４）および該基材加工ユニット（２６）の接合箇所に、それぞれ略水平の接合面を有することを特徴とする、請求項１または２または３または４または５または６または７または８または９または１０または１１または１２記載の機械構造物。
【請求項１４】
前記印刷胴（２２；３８）の直後に配置された前記渡しドラム（４４）または直後に配置された前記搬送胴（４４）の下方に、かつ／または前記印刷胴（２２；３８）の直前に配置された前記渡しドラム（４３）または前記印刷胴（２２；３８）の直前に配置された供給胴（４３）の下方に、それぞれ、その都度搬送されるべき基材を支持するために、それぞれガイドプレート（４２）を有するコーム型サッカ（３３）が配置されており、前記基材は、その都度該当する前記コーム型サッカ（３３）の前記ガイドプレート（４２）に沿って、該ガイドプレート（４２）に擦過して搬送され、前記コーム型サッカ（３３）は、少なくとも１つの吸着装置（３４）を有し、該吸着装置（３４）により、前記ガイドプレート（４２）に支持されるべき基材が、該ガイドプレート（４２）の方向へ吸着される、かつ／または搬送されるべき基材を支持する前記コーム型サッカ（３３）の前記ガイドプレート（４２）は、搬送されるべき基材の搬送方向Ｔにおいて相互に平行に配置された複数の櫛歯（３６）を具備する載設部を有することを特徴とする、請求項１または２または３または４または５または６または７または８または９または１０または１１または１２または１３記載の機械構造物。
【請求項１５】
３倍胴または４倍胴の大きさに構成された前記印刷胴（２２；３８）は各々、前記印刷胴（２２；３８）の周に、前後して３つまたは４つの基材がそれぞれ力結合によりかつ／または形状結合により保持されるように配置されているまたは少なくとも配置可能である数の保持要素を有しており、かつ／または２倍胴または３倍胴の大きさに構成された前記渡しドラム（４３；４４）または相応の供給胴（４３）または相応の搬送胴（４４）は、前記渡しドラム（４３；４４）または相応の供給胴（４３）または相応の搬送胴（４４）の各周に２つまたは３つの基材を前後して保持することができるように構成されていることを特徴とする、請求項１または２または３または４または５または６または７または８または９または１０または１１または１２または１３または１４記載の機械構造物。
【外国語明細書】
2020037268.tif 000022
2020037268.tif 000023
2020037268.tif 000024
2020037268.tif 000025
2020037268.tif 000026
2020037268.tif 000027
2020037268.tif 000028
2020037268.tif 000029
2020037268.tif 000030
2020037268.tif 000031
2020037268.tif 000032
2020037268.tif 000033
2020037268.tif 000034
2020037268.tif 000035
2020037268.tif 000036
2020037268.tif 000037
2020037268.tif 000038
2020037268.tif 000039
2020037268.tif 000040
2020037268.tif 000041
2020037268.tif 000042
2020037268.tif 000043
2020037268.tif 000044
2020037268.tif 000045
2020037268.tif 000046
2020037268.tif 000047
2020037268.tif 000048
2020037268.tif 000049
2020037268.tif 000050
2020037268.tif 000051
2020037268.tif 000052
2020037268.tif 000053
2020037268.tif 000054
2020037268.tif 000055
2020037268.tif 000056
2020037268.tif 000057
2020037268.tif 000058
2020037268.tif 000059
2020037268.tif 000060
2020037268.tif 000061
2020037268.tif 000062
2020037268.tif 000063
2020037268.tif 000064
2020037268.tif 000065
2020037268.tif 000066
2020037268.tif 000067
2020037268.tif 000068
2020037268.tif 000069
2020037268.tif 000070
2020037268.tif 000071
2020037268.tif 000072
2020037268.tif 000073
2020037268.tif 000074
2020037268.tif 000075
2020037268.tif 000076
2020037268.tif 000077
2020037268.tif 000078
2020037268.tif 000079
2020037268.tif 000080
2020037268.tif 000081
2020037268.tif 000082
2020037268.tif 000083
2020037268.tif 000084
2020037268.tif 000085
2020037268.tif 000086
2020037268.tif 000087
2020037268.tif 000088
2020037268.tif 000089
2020037268.tif 000090
2020037268.tif 000091
2020037268.tif 000092
2020037268.tif 000093
2020037268.tif 000094
2020037268.tif 000095
2020037268.tif 000096
2020037268.tif 000097
2020037268.tif 000098
2020037268.tif 000099
2020037268.tif 000100
2020037268.tif 000101
2020037268.tif 000102
2020037268.tif 000103
2020037268.tif 000104
2020037268.tif 000105
2020037268.tif 000106
2020037268.tif 000107
2020037268.tif 000108
2020037268.tif 000109
2020037268.tif 000110
2020037268.tif 000111
2020037268.tif 000112
2020037268.tif 000113